(57)【要約】【課題】  空調装置の大型化を回避しながら、供給用空気と排出用空気との間のエンタルピー交換効率を増大するように運転し得る空調装置を提供する。【解決手段】  給気風路２に通風作用する給気送風手段３と、排気風路４に通風作用する排気送風手段５と、一部を給気風路２に位置させ且つ他の一部を排気風路４に位置させるように配置される調湿体６及びその調湿体６を駆動回転する調湿用駆動手段７を備えた調湿手段Ｌと、給気風路２における調湿体６よりも通風方向上手側箇所にて、通流する空気に対して加熱作用する加熱手段８と、一部を給気風路２に位置させ且つ他の一部を排気風路４に位置させるように配置される顕熱交換体９を備えた顕熱交換手段Ｓとが設けられた空調装置であって、調湿手段Ｌが、調湿体６の駆動回転速度を変更調節自在に構成され、加熱手段８が、加熱作用状態と加熱停止状態とに切り換え自在に構成されている。【選択図】        図２
2007024377.tif 000002
【特許請求の範囲】
【請求項１】
空調対象空間に供給する供給用空気の給気風路に通風作用する給気送風手段と、
空調対象空間外に排出する排出用空気の排気風路に通風作用する排気送風手段と、
一部を前記給気風路に位置させ且つ他の一部を前記排気風路に位置させるように配置される調湿体、及び、その調湿体における前記給気風路に位置させる部分及び前記排気風路に位置させる部分を回転に伴って変更させるように前記調湿体を駆動回転する調湿用駆動手段を備えた調湿手段と、
前記給気風路における前記調湿体よりも通風方向上手側箇所又は前記排気風路における前記調湿体よりも通風方向上手側箇所にて、通流する空気に対して加熱作用する加熱手段と、
一部を前記給気風路に位置させ且つ他の一部を前記排気風路に位置させるように配置される顕熱交換体を備えた顕熱交換手段とが設けられた空調装置であって、
前記調湿手段が、前記調湿体の駆動回転速度を変更調節自在に構成され、
前記加熱手段が、加熱作用状態と加熱停止状態とに切り換え自在に構成されている空調装置。
【請求項２】
前記加熱手段が前記給気風路における前記調湿体よりも通風方向上手側箇所に設けられ、且つ、前記顕熱交換体がその一部を前記給気風路における前記加熱手段よりも通風方向上手側箇所に位置させ且つ他の一部を前記排気風路における前記調湿体よりも通風方向下手側箇所に位置させるように配置されて、前記供給用空気を前記顕熱交換手段にて加熱した後に、前記調湿手段にて加湿するように構成され、
前記調湿体を通過し且つ前記顕熱交換体を通過する前の排出用空気の一部を、前記給気風路における前記顕熱交換体と前記加熱手段との間の箇所に導く供給用導風部が設けられている請求項１記載の空調装置。
【請求項３】
前記加熱手段が前記排気風路における前記調湿体よりも通風方向上手側箇所に設けられ、且つ、前記顕熱交換体がその一部を前記給気風路における前記調湿体よりも通風方向下手側箇所に位置させ且つ他の一部を前記排気風路における前記加熱手段よりも通風方向上手側箇所に位置させるように配置されて、前記供給用空気を前記調湿手段にて除湿した後に、前記顕熱交換手段にて冷却するように構成され、
前記調湿体を通過し且つ前記顕熱交換体を通過する前の供給用空気の一部を、前記排気風路における前記顕熱交換体と前記加熱手段との間の箇所に導く排出用導風部が設けられている請求項１記載の空調装置。
【請求項４】
前記顕熱交換手段が、前記顕熱交換体における前記給気風路に位置させる部分及び前記排気風路に位置させる部分を回転に伴って変更させるように前記顕熱交換体を駆動回転する顕熱交換用駆動手段を備えて構成され、且つ、前記顕熱交換用駆動手段にて前記顕熱交換体を駆動回転させる顕熱交換作動状態と、前記顕熱交換用駆動手段による前記顕熱交換体の駆動回転を停止させる顕熱交換停止状態とに切り換え自在に構成されている請求項１〜３のいずれか１項に記載の空調装置。
【請求項５】
前記調湿手段、前記加熱手段及び前記顕熱交換手段の作動を制御する運転制御手段が、運転モードとして、前記調湿体を調湿用設定速度で回転駆動し、前記加熱手段を加熱作用状態にし及び前記顕熱交換手段を前記顕熱交換作動状態にする調湿運転モード、前記調湿体を前記調湿用設定速度よりも高速の全熱交換用設定速度で回転駆動し、前記加熱手段を加熱停止状態にし及び前記顕熱交換手段を前記顕熱交換作動状態にする全熱・顕熱交換運転モード、前記調湿体の駆動回転を停止し、前記加熱手段を加熱停止状態にし及び前記顕熱交換手段を前記顕熱交換作動状態にする顕熱交換運転モード、並びに、前記調湿体の駆動回転を停止し、前記加熱手段を加熱停止状態にし及び前記顕熱交換手段を前記顕熱交換停止状態にする通常換気運転モードのうち、少なくとも前記調湿運転モード及び前記全熱・顕熱交換運転モードを備えるように構成されている請求項４記載の空調装置。
【請求項６】
前記運転制御手段が、空調対象空間の湿度を検出する空間内湿度検出手段及び外気の湿度を検出する外気湿度検出手段夫々の検出情報、又は、前記空間内湿度検出手段、前記外気湿度検出手段、空調対象空間の温度を検出する空間内温度検出手段及び外気の温度を検出する外気温度検出手段夫々の検出情報に基づいて、運転モードを選択して実行するように構成されている請求項５記載の空調装置。
【請求項７】
前記供給用空気が外気であり、前記排出用空気が空調対象空間内の空気である請求項１〜６のいずれか１項に記載の空調装置。
【請求項８】
前記供給用空気及び前記排出用空気が外気である請求項１〜６のいずれか１項に記載の空調装置。
【請求項９】
前記供給用空気及び前記排出用空気が空調対象空間内の空気である請求項１〜６のいずれか１項に記載の空調装置。
【請求項１０】
前記供給用空気が空調対象空間内の空気であり、前記排出用空気が外気である請求項１〜６のいずれか１項に記載の空調装置。
【発明の詳細な説明】
【技術分野】
【０００１】
本発明は、空調対象空間に供給する供給用空気の給気風路に通風作用する給気送風手段と、
空調対象空間外に排出する排出用空気の排気風路に通風作用する排気送風手段と、
一部を前記給気風路に位置させ且つ他の一部を前記排気風路に位置させるように配置される調湿体、及び、その調湿体における前記給気風路に位置させる部分及び前記排気風路に位置させる部分を回転に伴って変更させるように前記調湿体を駆動回転する調湿用駆動手段を備えた調湿手段と、
前記給気風路における前記調湿体よりも通風方向上手側箇所又は前記排気風路における前記調湿体よりも通風方向上手側箇所にて、通流する空気に対して加熱作用する加熱手段と、
一部を前記給気風路に位置させ且つ他の一部を前記排気風路に位置させるように配置される顕熱交換体を備えた顕熱交換手段とが設けられた空調装置に関する。
【背景技術】
【０００２】
かかる空調装置は、供給用空気を調湿手段にて加湿して空調対象空間に供給する加湿運転、又は、供給用空気を調湿手段にて除湿して空調対象空間に供給する除湿運転を行うようにして、空調対象空間を加湿又は除湿するものである。
【０００３】
つまり、加湿運転を行うようにする場合は、加熱手段を給気風路における調湿体よりも通風方向上手側箇所に設け、顕熱交換体を、その一部を給気風路における加熱手段よりも通風方向上手側箇所に位置させ且つ他の一部を排気風路における調湿体よりも通風方向下手側箇所に位置させるように配置する。
そして、調湿体を回転させ、加熱手段を加熱作用させて運転することにより、供給用空気を、顕熱交換体を通過させることで排出用空気との顕熱交換により加熱し、更に、加熱手段を通過させることで加熱した後に、調湿体を通過させて加湿して、空調対象空間に供給する。
【０００４】
又、除湿運転を行うようにする場合は、加熱手段を排気風路における調湿体よりも通風方向上手側箇所に設け、顕熱交換体を、その一部を給気風路における調湿体よりも通風方向下手側箇所に位置させ且つ他の一部を排気風路における加熱手段よりも通風方向上手側箇所に位置させるように配置する。
そして、調湿体を回転させ、加熱手段を加熱作用させて運転することにより、供給用空気を、調湿体を通過させることで除湿し、更に、顕熱交換体を通過させることで排出用空気との顕熱交換により冷却して、空調対象空間に供給する（例えば、特許文献１参照。）。
【０００５】
【特許文献１】特開２００３−４２５５号公報
【発明の開示】
【発明が解決しようとする課題】
【０００６】
ところで、空調対象空間を空調するに当たって、加湿運転又は除湿運転とは別に、供給用空気と排出用空気との間で熱交換させるだけの運転が望まれる場合がある。
例えば、外気を供給用空気として空調対象空間に供給し、空調対象空間内の空気を排出用空気として空調対象空間外に排出するようにして、第１種換気を行う場合、冬期等、この空調装置とは別の空調装置により空調対象空間が暖房されているときに、空調対象空間の湿度が快適な状態では、供給用空気と排出用空気との間で熱交換させるように運転すると、暖房に係わる消費エネルギを削減することが可能となる。
又、夏期等、この空調装置とは別の空調装置により空調対象空間が冷房されているときに、空調対象空間の湿度が快適な場合は、供給用空気と排出用空気との間で熱交換させるように運転すると、冷房に係わる消費エネルギを削減することが可能となる。
【０００７】
そして、従来の空調装置において、供給用空気と排出用空気との間で熱交換させるだけの運転を行うには、調湿体を停止させ且つ加熱手段を加熱停止状態にして、顕熱交換体により供給用空気と排出用空気との間で顕熱を交換させることできる。尚、ちなみに、前記顕熱交換手段が、顕熱交換体における給気風路に位置させる部分及び排気風路に位置させる部分を回転に伴って変更させるように顕熱交換体を駆動回転する顕熱交換用駆動手段を備えて、回転型に構成される場合があり、この場合は、供給用空気と排出用空気との間の顕熱交換量をより増大させることができる。
【０００８】
しかしながら、顕熱交換体により供給用空気と排出用空気との間で顕熱を交換させるだけでは、供給用空気と排出用空気との間のエンタルピー交換効率を十分に増大することができず、例えば、暖房や冷房に係わる消費エネルギーを十分に削減することができなかった。
又、供給用空気と排出用空気との間のエンタルピー交換効率を増大するには、既設の顕熱交換手段の顕熱交換体を大型化したり、顕熱交換手段を増設すること等が考えられるが、空調装置が大型化することになる。
【０００９】
本発明は、かかる実情に鑑みてなされたものであり、その目的は、空調装置の大型化を回避しながら、供給用空気と排出用空気との間のエンタルピー交換効率を増大するように運転し得る空調装置を提供することにある。
【課題を解決するための手段】
【００１０】
本発明の空調装置は、空調対象空間に供給する供給用空気の給気風路に通風作用する給気送風手段と、
空調対象空間外に排出する排出用空気の排気風路に通風作用する排気送風手段と、
一部を前記給気風路に位置させ且つ他の一部を前記排気風路に位置させるように配置される調湿体、及び、その調湿体における前記給気風路に位置させる部分及び前記排気風路に位置させる部分を回転に伴って変更させるように前記調湿体を駆動回転する調湿用駆動手段を備えた調湿手段と、
前記給気風路における前記調湿体よりも通風方向上手側箇所又は前記排気風路における前記調湿体よりも通風方向上手側箇所にて、通流する空気に対して加熱作用する加熱手段と、
一部を前記給気風路に位置させ且つ他の一部を前記排気風路に位置させるように配置される顕熱交換体を備えた顕熱交換手段とが設けられたものであって、
第１特徴構成は、前記調湿手段が、前記調湿体の駆動回転速度を変更調節自在に構成され、
前記加熱手段が、加熱作用状態と加熱停止状態とに切り換え自在に構成されている点を特徴とする。
【００１１】
即ち、調湿手段が調湿体の駆動回転速度を変更調節自在に構成され、又、加熱手段が加熱作用状態と加熱停止状態とに切り換え自在に構成されているから、調湿体を供給用空気の加湿又は除湿に適した駆動回転速度にて回転駆動し且つ加熱手段を加熱作用状態にして行う加湿運転又は除湿運転に加えて、調湿体を加湿運転時又は除湿運転時よりも高速の駆動回転速度にて回転駆動し且つ加熱手段を加熱停止状態にして行う運転（以下、全熱・顕熱交換運転と記載する場合がある）を行うことができる。
【００１２】
つまり、回転駆動されている調湿体に供給用空気及び排出用空気を通過させると、供給用空気と排出用空気との温度差により供給用空気と排出用空気との間で顕熱を交換させると共に、湿度差により供給用空気と排出用空気との間で潜熱を交換させることが可能であって、供給用空気と排出用空気との間で全熱を交換させることが可能であるが、本願発明の発明者は、鋭意研究して、調湿体の駆動回転速度を高くすることにより、調湿体において、そこを通過する供給用空気と排出用空気との間の全熱交換量を多くすることが可能であることを見出した。
このことについて考察すると、調湿体の駆動回転速度を高くすることにより、調湿体が給気風路や排気風路を移動する速度が速くなるので、調湿体と供給用空気や排出用空気との間で顕熱及び潜熱の交換を十分に行わせながら、調湿体における、供給用空気や排出用空気との間で顕熱及び潜熱の交換が行われた部分を速く移動させることが可能となり、調湿体での供給用空気や排出用空気との間の全熱交換量を多くすることができるのである。
【００１３】
そして、上述のようにして全熱・顕熱交換運転を行うと、調湿体においては、供給用空気と排出用空気との間で全熱交換量をより多くする状態で全熱交換させることができ、又、顕熱交換体においては、供給用空気と排出用空気との間で顕熱交換させることができるので、供給用空気と排出用空気との間のエンタルピー交換効率を十分に増大することが可能となり、例えば、暖房や冷房に係わる消費エネルギーを十分に削減することが可能となるのである。
従って、空調装置の大型化を回避しながら、供給用空気と排出用空気との間のエンタルピー交換効率を増大するように運転し得る空調装置を提供することができるようになった。
【００１４】
第２特徴構成は、上記第１特徴構成に加えて、
前記加熱手段が前記給気風路における前記調湿体よりも通風方向上手側箇所に設けられ、且つ、前記顕熱交換体がその一部を前記給気風路における前記加熱手段よりも通風方向上手側箇所に位置させ且つ他の一部を前記排気風路における前記調湿体よりも通風方向下手側箇所に位置させるように配置されて、前記供給用空気を前記顕熱交換手段にて加熱した後に、前記調湿手段にて加湿するように構成され、
前記調湿体を通過し且つ前記顕熱交換体を通過する前の排出用空気の一部を、前記給気風路における前記顕熱交換体と前記加熱手段との間の箇所に導く供給用導風部が設けられている点を特徴とする。
【００１５】
即ち、調湿体を通過し且つ顕熱交換体を通過する前の排出用空気の一部が、供給用導風部を通じて給気風路における顕熱交換体と加熱手段との間の箇所に導かれながら、排出用空気が、調湿体、顕熱交換体を順次通過して通流し、供給用空気が、顕熱交換体、加熱手段、調湿体を順次通過して通流する。
つまり、加熱手段を加熱作用状態にすると、排出用空気は、調湿体を通過するときに、その排出用空気中の水蒸気が調湿体に吸収されると共に凝縮熱により加熱され、その排出用空気が顕熱交換体を通過するときに、その保有熱が顕熱交換体に与えられて顕熱交換体が加熱され、供給用空気は、顕熱交換体を通過することで加熱され、更に、加熱手段を通過することで加熱され、その供給用空気が調湿体を通過するときに加湿されるので、供給用空気を加湿する加湿運転を行うことができる。
【００１６】
そして、調湿体を通過し且つ顕熱交換体を通過する前の高温の排出用空気の一部が、給気風路における顕熱交換体と加熱手段との間の箇所に導かれて供給用空気に混合されるので、調湿体を通過する供給用空気の風量を多くすることができ、空調対象空間をより早く加湿及び暖房することが可能となる。又、加熱手段にて供給用空気を加熱するために要するエネルギー量を低減することが可能となる。
従って、加湿運転が可能な空調装置において、消費エネルギーを低減しながら、空調対象空間の加湿及び暖房性能の向上を図ることができるようになった。
【００１７】
第３特徴構成は、上記第１特徴構成に加えて、
前記加熱手段が前記排気風路における前記調湿体よりも通風方向上手側箇所に設けられ、且つ、前記顕熱交換体がその一部を前記給気風路における前記調湿体よりも通風方向下手側箇所に位置させ且つ他の一部を前記排気風路における前記加熱手段よりも通風方向上手側箇所に位置させるように配置されて、前記供給用空気を前記調湿手段にて除湿した後に、前記顕熱交換手段にて冷却するように構成され、
前記調湿体を通過し且つ前記顕熱交換体を通過する前の供給用空気の一部を、前記排気風路における前記顕熱交換体と前記加熱手段との間の箇所に導く排出用導風部が設けられている点を特徴とする。
【００１８】
即ち、調湿体を通過し且つ顕熱交換体を通過する前の供給用空気の一部が、排出用導風部を通じて排気風路における顕熱交換体と加熱手段との間の箇所に導かれながら、排出用空気が、顕熱交換体、加熱手段、調湿体を順次通過して通流し、供給用空気が、調湿体、顕熱交換体を順次通過して通流する。
つまり、加熱手段を加熱作用状態にすると、排出用空気は、顕熱交換体を通過するときにその顕熱交換体の保有熱を吸熱することにより加熱され、更に、加熱手段を通過することで加熱され、その排出用空気が調湿体を通過するときに調湿体から放湿され、供給用空気は、調湿体を通過することで除湿並びに加熱され、その供給用空気は顕熱交換体を通過することで冷却されるので、供給用空気を除湿する除湿運転を行うことができる。
【００１９】
そして、調湿体を通過し且つ顕熱交換体を通過する前の高温の供給用空気の一部が、排気風路における顕熱交換体と加熱手段との間の箇所に導かれて排出用空気に混合されるので、調湿体を通過する前の排出用空気の大風量化及び低湿度化により、調湿体から排出用空気への放湿量がより多くなって、供給用空気を除湿する除湿性能を向上させることが可能となる。
従って、除湿運転が可能な空調装置において、空調対象空間の除湿性能の向上を図ることができるようになった。
【００２０】
第４特徴構成は、上記第１〜第３特徴構成のいずれかに加えて、
前記顕熱交換手段が、前記顕熱交換体における前記給気風路に位置させる部分及び前記排気風路に位置させる部分を回転に伴って変更させるように前記顕熱交換体を駆動回転する顕熱交換用駆動手段を備えて構成され、且つ、前記顕熱交換用駆動手段にて前記顕熱交換体を駆動回転させる顕熱交換作動状態と、前記顕熱交換用駆動手段による前記顕熱交換体の駆動回転を停止させる顕熱交換停止状態とに切り換え自在に構成されている点を特徴とする。
【００２１】
即ち、顕熱交換手段を、顕熱交換用駆動手段にて顕熱交換体を駆動回転させる顕熱交換作動状態にて運転したり、顕熱交換用駆動手段による顕熱交換体の駆動回転を停止させる顕熱交換停止状態にて運転させたりすることができる。
つまり、調湿用駆動手段の作動を停止させて調湿体の駆動回転を停止し且つ加熱手段を加熱停止状態にした状態で、顕熱交換手段を顕熱交換作動状態にすると、供給用空気と排出用空気とを顕熱交換体において顕熱交換させるだけの状態で運転する顕熱交換運転が可能となり、又、調湿用駆動手段の作動を停止させて調湿体の駆動回転を停止し且つ加熱手段を加熱停止状態にした状態で、顕熱交換手段を顕熱交換停止状態にすると、例えば供給用空気が外気であり且つ排出用空気が空調対象空間内の空気である場合では、空調対象空間を空調することなく換気する通常換気運転が可能となる。
又、除湿運転が可能なように構成した場合に、調湿体を供給用空気の除湿に適した駆動回転速度にて回転駆動し且つ加熱手段を加熱作用状態にした状態で、顕熱交換手段を顕熱交換作動状態にすると、除湿運転を行うことができ、顕熱交換手段を顕熱交換停止状態にすると、低湿で高温の空気の供給が可能となる乾燥運転を行うことができる。尚、乾燥運転は、例えば、空調対象空間を乾燥させる用途に好適である。
従って、加湿運転又は除湿運転、及び、全熱・顕熱交換運転に加えて、供給用空気と排出用空気とを顕熱交換させるだけの顕熱交換運転と、空調対象空間を空調することなく換気する通常換気運転にも切り換えて運転することも可能となり、又、除湿運転が可能なように構成した場合には、更に、乾燥運転にも切り換えて運転することが可能となるので、使い勝手をより一層向上することができるようになった。
【００２２】
第５特徴構成は、上記第４特徴構成に加えて、
前記調湿手段、前記加熱手段及び前記顕熱交換手段の作動を制御する運転制御手段が、運転モードとして、前記調湿体を調湿用設定速度で回転駆動し、前記加熱手段を加熱作用状態にし及び前記顕熱交換手段を前記顕熱交換作動状態にする調湿運転モード、前記調湿体を前記調湿用設定速度よりも高速の全熱交換用設定速度で回転駆動し、前記加熱手段を加熱停止状態にし及び前記顕熱交換手段を前記顕熱交換作動状態にする全熱・顕熱交換運転モード、前記調湿体の駆動回転を停止し、前記加熱手段を加熱停止状態にし及び前記顕熱交換手段を前記顕熱交換作動状態にする顕熱交換運転モード、並びに、前記調湿体の駆動回転を停止し、前記加熱手段を加熱停止状態にし及び前記顕熱交換手段を前記顕熱交換停止状態にする通常換気運転モードのうち、少なくとも前記調湿運転モード及び前記全熱・顕熱交換運転モードを備えるように構成されている点を特徴とする。
【００２３】
即ち、運転制御手段は、運転モードとして、調湿運転モード、全熱・顕熱交換運転モード、顕熱交換運転モード並びに通常換気運転モードのうち、少なくとも調湿運転モード及び全熱・顕熱交換運転モードを備えているので、運転モードを簡単な操作で切り換えて運転することができる。
【００２４】
ちなみに、加熱手段を給気風路における調湿体よりも通風方向上手側箇所に設けると、調湿運転として加湿運転が実行でき、加熱手段を排気風路における調湿体よりも通風方向上手側箇所に設けると、調湿運転として除湿運転を実行できる。
又、全熱・顕熱交換運転モードでは、上述したように、供給用空気と排出用空気との間のエンタルピー交換効率を増大するように運転することができる。
又、顕熱交換運転では、供給用空気と排出用空気とを顕熱交換させるだけの状態で運転することができる。
又、通常換気運転では、供給用空気と排出用空気との間で熱交換を行わせること無く、供給用空気を空調対象空間に供給すると共に、排出用空気を空調対象空間外に排出することができるので、例えば、供給用空気を外気とし、排出用空気を空調対象空間内の空気とすると、空調対象空間を空調することなく換気することができる。
従って、調湿運転モード、全熱・顕熱交換運転モード、顕熱交換運転モード並びに通常換気運転モードのうちの少なくとも調湿運転モード及び全熱・顕熱交換運転モードを、例えば、空調対象空間の空気の状況（例えば湿度や温度）に応じて選択して、簡単な操作にて実行させることができるので、使い勝手をより一層向上させることができるようになった。
【００２５】
第６特徴構成は、上記第５特徴構成に加えて、
前記運転制御手段が、空調対象空間の湿度を検出する空間内湿度検出手段及び外気の湿度を検出する外気湿度検出手段夫々の検出情報、又は、前記空間内湿度検出手段、前記外気湿度検出手段、空調対象空間の温度を検出する空間内温度検出手段及び外気の温度を検出する外気温度検出手段夫々の検出情報に基づいて、運転モードを選択して実行するように構成されている点を特徴とする。
【００２６】
即ち、空調対象空間の湿度を検出する空間内湿度検出手段及び外気の湿度を検出する外気湿度検出手段の検出情報、又は、空間内湿度検出手段、外気湿度検出手段、空調対象空間の温度を検出する空間内温度検出手段及び外気の温度を検出する外気温度検出手段夫々の検出情報に基づいて、空調対象空間の空気の状況や外気の状況を求めることができるので、その求めた空調対象空間の空気の状況や外気の状況に応じた運転モードを自動的に選択させて、実行させることが可能となる。
【００２７】
例えば、空調対象空間の空気の状況や外気の状況により、空調対象空間を加湿するのが好ましいと判断されるときは、調湿運転としての加湿運転を実行させ、空調対象空間を除湿するのが好ましいときは、調湿運転としての除湿運転を実行させるようにすると、空調対象空間の湿度を好ましいものにすることが可能となる。
【００２８】
又、空調対象空間の空気の状況や外気の状況により、例えば、空調対象空間が暖房されている状態であり、空調対象空間の空気が適湿であると判断されるときや、空調対象空間が冷房されている状態であり、空調対象空間の空気が適湿であると判断されるとき等では、全熱・顕熱交換運転を実行させるようにすると、供給用空気と排出用空気との間のエンタルピー交換効率を増大することが可能となって、暖房や冷房に係わる消費エネルギを削減することが可能となる。
【００２９】
又、運転モードとして顕熱交換運転モードを備えていて、例えば、供給用空気を外気とし、排出用空気を空調対象空間内の空気とする場合は、空調対象空間内の空気の状況が適温で且つ外気の状況が適湿であると判断されるとき等に、顕熱交換運転モードを実行させるようにすると、空調対象空間を換気しながら、空調対象空間の温度及び湿度を好ましいものにすることが可能となる。
【００３０】
又、運転モードとして通常換気運転モードを備えていて、例えば、供給用空気を外気とし、排出用空気を空調対象空間内の空気とする場合は、外気の状況が適温適湿であると判断されると、通常換気運転モードを実行させるようにすると、空調対象空間を換気しながら、その温度及び湿度を好ましいものにすることが可能となる。
従って、空調対象空間の空気の状況や外気の状況に応じた運転モードが自動的に選択されて実行されるので、空調装置をより一層適切に運転させることができるようになった。
【００３１】
第７特徴構成は、上記第１〜第６特徴構成のいずれかに加えて、
前記供給用空気が外気であり、前記排出用空気が空調対象空間内の空気である点を特徴とする。
【００３２】
即ち、給気送風手段により外気が給気風路を通して通流されて供給用空気として空調対象空間に供給され、排気送風手段により空調対象空間内の空気が排気風路を通して通流されて排出用空気として外部に排出されるので、所謂、第１種換気により、空調対象空間が換気される。
従って、第１種換気を行わせながら、上記の第１〜第６特徴構成のいずれかによる作用効果を達成することができる。
【００３３】
第８特徴構成は、上記第１〜第６特徴構成のいずれかに加えて、
前記供給用空気及び前記排出用空気が外気である点を特徴とする。
【００３４】
即ち、給気送風手段により外気が給気風路を通して通流されて供給用空気として空調対象空間に供給され、排気送風手段により外気が排気風路を通して通流されて排出用空気として外部に排出され、そのような給気送風手段による空調対象空間への外気の強制的な供給により、空調対象空間の空気が自然に外部に排出されることになるので、所謂、第２種換気により、空調対象空間が換気される。
従って、第２種換気を行わせながら、上記の第１〜第６特徴構成のいずれかによる作用効果を達成することができる。
【００３５】
第９特徴構成は、上記第１〜第６特徴構成のいずれかに加えて、
前記供給用空気及び前記排出用空気が空調対象空間内の空気である点を特徴とする。
【００３６】
即ち、給気送風手段により空調対象空間内の空気が給気風路を通して通流されて供給用空気として空調対象空間に供給され、排気送風手段により空調対象空間内の空気が排気風路を通して通流されて排出用空気として外部に排出され、そのような排気送風手段による空調対象空間の空気の強制的な排出により、外気が自然に空調対象空間に供給されることになるので、所謂、第３種換気により、空調対象空間が換気される。
従って、第３種換気を行わせながら、上記の第１〜第６特徴構成のいずれかによる作用効果を達成することができる。
【００３７】
第１０特徴構成は、上記第１〜第６特徴構成のいずれかに加えて、
前記供給用空気が空調対象空間内の空気であり、前記排出用空気が外気である点を特徴とする。
【００３８】
即ち、給気送風手段により空調対象空間内の空気が給気風路を通して通流されて供給用空気として空調対象空間に供給され、排気送風手段により外気が排気風路を通して通流されて排出用空気として外部に排出される。
つまり、空調対象空間の空気を、調湿手段や顕熱交換手段にて外気を用いて空調しながら循環させることにより、空調対象空間を空調することになる。
従って、空調対象空間の空気を外気を用いて空調しつつ循環させて空調対象空間を空調しながら、上記の第１〜第６特徴構成にいずれかによる作用効果を達成することができる。
【発明を実施するための最良の形態】
【００３９】
〔第１実施形態〕
以下、本発明の第１実施形態を説明する。
図１及び図２に示すように、空調装置は、空調対象空間としての空調対象室に供給するための供給用空気ＳＡを装置内に吸い込む供給用空気入口１ｓｉ、その供給用空気ＳＡを送出する供給用空気出口１ｓｏ、空調対象室外に排出するための排出用空気ＥＡを装置内に吸い込む排出用空気入口１ｅｉ及び排出用空気ＥＡを送出する排出用空気出口１ｅｏを備えたケーシング１を用いて組み付けて構成してある。
そして、例えば、空調対象室に接続した給気ダクト（図示省略）を前記供給用空気出口１ｓｏに接続し、排出用空気ＥＡを屋外等に排出する排気ダクト（図示省略）を前記排出用空気出口１ｅｏに接続して、空調した供給用空気ＳＡを空調対象室に供給する共に、排出用空気ＥＡを屋外等に排出するように構成してある。
【００４０】
この第１実施形態の空調装置は、加湿専用型であり、この加湿専用型の空調装置は、図２に示すように、空調対象室に供給する供給用空気ＳＡの給気風路２に通風作用する給気送風手段としての給気送風機３と、空調対象室外に排出する排出用空気ＥＡの排気風路４に通風作用する排気送風手段としての排気送風機５と、一部を前記給気風路２に位置させ且つ他の一部を前記排気風路４に位置させるように配置される調湿体６及びその調湿体６における前記給気風路２に位置させる部分及び前記排気風路４に位置させる部分を回転に伴って変更させるように前記調湿体６を駆動回転する調湿用駆動手段としての調湿用電動モータ７を備えた調湿手段としての調湿部Ｌと、前記給気風路２における前記調湿体６よりも通風方向上手側箇所にて、通流する空気に対して加熱作用する加熱手段としての加湿暖房用の加熱器８と、一部を前記給気風路２に位置させ且つ他の一部を前記排気風路４に位置させるように配置される顕熱交換体９を備えた顕熱交換手段としての顕熱交換部Ｓと、この空調装置の運転を制御する運転制御手段としての運転制御部１１と、その運転制御部１１に各種制御情報を指令する遠隔操作式の操作部１２等を備えて構成してある。
【００４１】
そして、本発明では、前記調湿部Ｌを、前記調湿体６の駆動回転速度を変更調節自在に構成し、前記加湿暖房用の加熱器８を、加熱作用状態と加熱停止状態とに切り換え自在に構成してある。
更に、この第１実施形態では、前記顕熱交換部Ｓを、前記顕熱交換体９における前記給気風路２に位置させる部分及び前記排気風路４に位置させる部分を回転に伴って変更させるように前記顕熱交換体９を駆動回転する顕熱交換用駆動手段としての顕熱交換用電動モータ１０を備えて回転型に構成し、且つ、前記顕熱交換用電動モータ１０にて前記顕熱交換体９を駆動回転させる顕熱交換作動状態と、前記顕熱交換用電動モータ１０による前記顕熱交換体９の駆動回転を停止させる顕熱交換停止状態とに切り換え自在に構成してある。
【００４２】
以下、空調装置の各部について説明を加える。
図１及び図２に示すように、前記ケーシング１は、直方体形状に形成し、そのケーシング１の一側面に、前記供給用空気出口１ｓｏ及び前記排出用空気入口１ｅｉを並べて設け、それら供給用空気出口１ｓｏ及び排出用空気入口１ｅｉを設けた側面に対向する側面に、前記供給用空気入口１ｓｉ及び前記排出用空気出口１ｅｏを供給用空気入口１ｓｉが前記供給用空気出口１ｓｏと同じ側に位置する状態で並べて設けてある。
【００４３】
図２及び図３に示すように、前記調湿部Ｌにおける調湿体６の支持構造及び回転駆動構造と、前記顕熱交換部Ｓにおける顕熱交換体９の支持構造及び回転駆動構造は、同様であるので、以下、前記調湿部Ｌを対象にして、調湿体６の支持構造及び回転駆動構造を説明する。
【００４４】
前記調湿体６は、所謂デシカントロータであり、円板形状でその軸心方向に通気自在なハニカム状の基材に吸湿材（シリカゲルや塩化リチウム等）を保持して構成し、前記調湿部Ｌは、前記調湿体６をその軸心にて回転自在に矩形枠状の支持枠１３に支持すると共に、その支持枠１３に、前記調湿用電動モータ７をその出力軸と前記調湿体６の外周部とにわたってベルト１４を巻回した状態で設けて、ユニット状に構成してある。
【００４５】
前記支持枠１３における前記調湿体６の軸心方向に並ぶ両側面部の夫々には、一対の概ね半円状の開口１３ｗを、前記軸心方向視において一方の側面部の開口１３ｗと他方の側面部の開口１３ｗとが重なる状態で形成してある。
その支持枠１３の各開口１３ｗには、前記給気風路２と前記排気風路４とを分離するシール材１５をその先端の開口縁が前記調湿体６に当接する状態で嵌め込んである。
【００４６】
前記顕熱交換体９は、アルミニウム等の熱伝導率の高い材料にて、円板形状でその軸心方向に通気自在なハニカム状に形成し、前記顕熱交換部Ｓは、上述した調湿部Ｌと同様に、前記顕熱交換体９をその軸心にて回転自在に前記支持枠１３に支持すると共に、その支持枠１３に、前記顕熱交換用電動モータ１０をその出力軸と前記顕熱交換体９の外周部とにわたってベルト１４を巻回した状態で設けて、ユニット状に構成してある。
【００４７】
そして、図２に示すように、上述のようにユニット状に構成した調湿部Ｌ及び顕熱交換部Ｓを、調湿部Ｌが前記供給用空気出口１ｓｏの側に位置し且つ前記供給用空気入口１ｓｉ及び前記供給用空気出口１ｓｏの並び方向に間隔を開けた状態で、調湿体６及び顕熱交換体９夫々の回転軸心が前記供給用空気入口１ｓｉ及び前記供給用空気出口１ｓｏの並び方向に沿う姿勢にて、前記ケーシング１内に並べて設けてある。
【００４８】
更に、そのケーシング１内を、仕切り壁１６にて、前記供給用空気入口１ｓｉ及び前記供給用空気出口１ｓｏが存在する側と前記排出用空気出口１ｅｏ及び前記排出用空気入口１ｅｉが存在する側とに区画することにより、前記ケーシング１内に、一端が前記供給用空気入口１ｓｉに連通し且つ他端が前記供給用空気出口１ｓｏに連通する状態の前記給気風路２と、一端が前記排出用空気入口１ｅｉに連通し且つ他端が前記排出用空気出口１ｅｏに連通する状態の前記排気風路４を区画形成し、前記調湿体６を、その一部を前記給気風路２に位置させ且つ他の一部を前記排気風路４に位置させるように配置し、並びに、前記顕熱交換体９を、その一部を前記給気風路２に位置させ且つ他の一部を前記排気風路４に位置させるように配置してある。
【００４９】
そして、前記調湿用電動モータ７により前記調湿体６を駆動回転することにより、前記調湿体６における前記給気風路２に位置させる部分及び前記排気風路４に位置させる部分を回転に伴って変更させるように構成し、前記顕熱交換用電動モータ１０により前記顕熱交換体９を駆動回転することにより、前記顕熱交換体９における前記給気風路２に位置させる部分及び前記排気風路４に位置させる部分を回転に伴って変更させるように構成してある。
そして、調湿用電動モータ７の回転速度を変更調節することにより、前記調湿体６の駆動回転速度を変更調節自在なように構成してある。
又、顕熱交換用電動モータ１０を作動させることにより、前記顕熱交換部Ｓを顕熱交換作動状態にし、顕熱交換用電動モータ１０を停止させることにより、前記顕熱交換部Ｓを顕熱交換停止状態にするように構成してある。
【００５０】
前記加湿暖房用の加熱器８は、熱媒を通流させる熱媒流通管（図示省略）を空気の通過が可能なように蛇行状に配管した熱媒循環式に構成し、図２に示すように、その加湿暖房用の加熱器８を前記給気風路２における前記調湿部Ｌと前記顕熱交換部Ｓとの間に設けて、その加湿暖房用の加熱器８と熱源機（図示省略）とを熱媒循環路１７にて接続して、その熱源機にて加熱した熱媒を熱媒循環路１７を通じて加湿暖房用の加熱器８に循環供給するように構成してある。
そして、前記熱媒循環路１７に加湿暖房用熱動弁１８を設けて、その加湿暖房用熱動弁１６を開閉して前記加湿暖房用の加熱器８への熱媒の供給を断続することにより、前記加湿暖房用の加熱器８を加熱作用状態と加熱停止状態とに切り換え自在に構成してある。
【００５１】
前記給気送風機３を、その吸い込み口を前記給気風路２内に臨ませ且つ吐き出し口を前記供給用空気出口１ｓｏに内嵌させた状態で前記給気風路２内に設けることにより、給気送風機３を、前記供給用空気入口１ｓｉから吸い込んだ供給用空気ＳＡを、前記顕熱交換体９、前記加湿暖房用の加熱器８、前記調湿体６を順次を通過させて前記供給用空気出口１ｓｏから送出するように、前記給気風路２に通風作用させる構成としてある。
又、前記排気送風機５を、その吸い込み口を前記排気風路４内に臨ませ且つ吐き出し口を前記排出用空気出口１ｅｏに内嵌させた状態で前記排気風路４内に設けることにより、排気送風機５を、前記排出用空気入口１ｅｉから吸い込んだ排出用空気ＥＡを前記調湿体６、前記顕熱交換体９を順次通過させて前記排出用空気出口１ｅｏから送出するように、前記排気風路４に通風作用させる構成としてある。
つまり、給気風路２の通風方向と排気風路４の通風方向が互いに逆向きになる。
【００５２】
つまり、この加湿専用型の空調装置では、加湿暖房用の加熱器８を前記給気風路２における前記調湿体６よりも通風方向上手側箇所に設け、且つ、前記顕熱交換体９をその一部を前記給気風路２における前記加湿暖房用の加熱器８よりも通風方向上手側箇所に位置させ且つ他の一部を前記排気風路４における前記調湿体６よりも通風方向下手側箇所に位置させるように配置して、供給用空気ＳＡを加湿暖房用の加熱器８にて加熱した後に、調湿部Ｌにて加湿するように構成してある。
【００５３】
前記運転制御部１１は、運転モードとして、前記調湿体６を調湿用設定速度で回転駆動し、前記加湿暖房用の加熱器８を加熱作用状態にし及び前記顕熱交換部Ｓを前記顕熱交換作動状態にする調湿運転モードとしての加湿運転モード、前記調湿体６を前記調湿用設定速度よりも高速の全熱交換用設定速度で回転駆動し、前記加湿暖房用の加熱器８を加熱停止状態にし及び前記顕熱交換部Ｓを前記顕熱交換作動状態にする全熱・顕熱交換運転モード、前記調湿体６の駆動回転を停止し、前記加湿暖房用の加熱器８を加熱停止状態にし及び前記顕熱交換部Ｓを前記顕熱交換作動状態にする顕熱交換運転モード、前記調湿体６の駆動回転を停止し、前記加湿暖房用の加熱器８を加熱停止状態にし及び前記顕熱交換部Ｓを前記顕熱交換停止状態にする通常換気運転モード、並びに、前記調湿体６の駆動回転を停止し、前記加湿暖房用の加熱器８を加熱作用状態にし及び前記顕熱交換部Ｓを前記顕熱交換停止状態にする暖房運転モードを備えるように構成してある。
【００５４】
前記調湿用設定速度及び前記全熱交換用設定速度は、夫々予め設定して前記運転制御部１１に記憶させてある。
以下、前記調湿用設定速度及び前記全熱交換用設定速度夫々の設定の仕方について説明を加える。
尚、前記調湿用設定速度については、詳細は後述の第９実施形態にて説明するが、調湿体６は、回転速度が１．３回／分のときに、調湿部Ｌの除湿性能が最大となるので、前記調湿用設定速度は、例えば１．３回／分に設定してある。
【００５５】
図３５中の実線は、空調対象室が冷房される夏期を想定して、調湿部Ｌの全熱交換性能を検証したものであり、前記加湿暖房用の加熱器８を加熱停止状態にし、且つ、前記給気風路２の方が高温多湿になる状態でその給気風路２及び前記排気風路４の夫々に通風させる状態で、調湿体７の回転速度を変更させて、各回転速度での調湿部Ｌの全熱交換性能をエンタルピーにて、回転速度が１．３回／分のときを１００％として比較したものである。
又、図３５中の破線は、空調対象室が暖房される冬期を想定して、調湿部Ｌの全熱交換性能を検証したものであり、前記加湿暖房用の加熱器８を加熱停止状態にし、且つ、前記排気風路４の方が高温多湿になる状態で前記給気風路２及び前記排気風路４の夫々に通風させる状態で、調湿体７の回転速度を変更させて、各回転速度での調湿部Ｌの全熱交換性能をエンタルピーにて、回転速度が１．３回／分のときを１００％として比較したものである。
【００５６】
つまり、空調対象室が暖房される冬期等、排出用空気ＥＡの方が供給用空気ＳＡよりも高温多湿の状態となるときは、調湿部Ｌの全熱交換性能は、調湿体７の回転速度を前記調湿用設定速度である１．３回／分よりも高速にすると高くなり、２．８〜５．３回／分の範囲でより高くなり、４．７回／分のときに最高になることが分かる。
又、空調対象室が冷房される夏期等、供給用空気ＳＡの方が排出用空気ＥＡよりも高温多湿の状態となるときは、調湿部Ｌの全熱交換性能は、調湿体７の回転速度を前記調湿用設定速度である１．３回／分よりも高速にすると高くなり、４．０〜５．３回／分の範囲でより高くなり、４．７回／分のときに最高になることが分かる
【００５７】
従って、空調対象室が暖房される冬期等、排出用空気ＥＡの方が供給用空気ＳＡよりも高温多湿の状態のときは、前記全熱交換用設定速度を、前記調湿用設定速度の２．２〜４．１倍に設定するのが好ましく、前記調湿用設定速度の３．６倍に設定するのが最も好ましい。
又、空調対象室が冷房される夏期等、供給用空気ＳＡの方が排出用空気ＥＡよりも高温多湿の状態のときは、前記全熱交換用設定速度を、前記調湿用設定速度の３．１〜４．１倍に設定するのが好ましく、前記調湿用設定速度の３．６倍に設定するのが最も好ましい。
【００５８】
以上のように、調湿体６の回転速度を調湿用設定速度よりも高くすることにより、調湿部Ｌの全熱交換性能を向上可能なことが分かる。
【００５９】
又、外気の湿度を検出する外気湿度検出手段としての外気湿度センサ１９、及び、外気の温度を検出する外気温度検出手段としての外気温度センサ２０を設けてある。
前記操作部１２は、空調対象空間としての空調対象室に設けられるものであり、その操作部１２には、空調対象室の湿度を検出する空間内湿度検出手段としての室内湿度センサ２１、及び、空調対象室の温度を検出する空間内温度検出手段としての室内温度センサ２２を設けてある。
【００６０】
更に、前記操作部１２には、図示を省略するが、上述のようにこの空調装置に備えさせてある複数の運転モードを択一的に選択して実行させる運転モード選択スイッチ、及び、外気湿度センサ１９、外気温度センサ２０、室内湿度センサ２１及び室内温度センサ２２夫々の検出情報に基づいて、前記複数の運転モードから運転モードを自動的に選択して実行するモード自動選択運転の開始及び停止を指令する自動運転スイッチを設けてある。
【００６１】
次に、前記運転制御部１１の制御動作について、説明する。
運転制御部１１は、前記操作部１２からの指令情報に基づいて、運転モード選択スイッチにて指令された運転モードを実行し、又、自動運転スイッチにてモード自動選択運転が指令されると、そのモード自動選択運転を実行するように構成してある。
【００６２】
以下、図４に基づいて、上記の各運転モード夫々についての前記運転制御部１１の制御動作を説明する。
前記通常換気運転モードでは、前記給気送風機３及び前記排気送風機５夫々を作動させ、前記調湿用電動モータ７を停止させて前記調湿体６の回転を停止させ、前記加湿暖房用熱動弁１６を閉弁して前記加湿暖房用の加熱器８を加熱停止状態にし、前記顕熱交換用電動モータ１０を停止させて前記顕熱交換部Ｓを顕熱交換停止状態にする。
【００６３】
前記加湿運転モードでは、前記給気送風機３及び前記排気送風機５夫々を作動させ、前記調湿体６を予め設定した調湿用設定速度にて回転駆動するように前記調湿用電動モータ７を作動させ、前記加湿暖房用熱動弁１６を開弁して前記加湿暖房用の加熱器８を加熱作用状態にし、前記顕熱交換用電動モータ１０を作動させて前記顕熱交換部Ｓを顕熱交換作動状態にする。
【００６４】
この加湿運転モードでは、図２を参照すると、排出用空気入口１ｅｉから排気風路４に吸い込まれた排出用空気ＥＡは、前記調湿用設定速度にて回転する調湿体６、回転する顕熱交換体９を順次通過して通流して、排出用空気出口１ｅｏから例えば排気ダクトを通じて屋外に排出され、一方、供給用空気入口１ｓｉから前記給気風路２に吸い込まれた供給用空気ＳＡは、回転する顕熱交換体９、加熱作用状態の加湿暖房用の加熱器８、前記調湿用設定速度にて回転する調湿体６を順次通過して通流して、供給用空気出口１ｓｏから例えば給気ダクトを通じて空調対象室に供給される。
【００６５】
そして、排出用空気ＥＡは、前記調湿用設定速度にて回転する調湿体６を通過するときに、その排出用空気ＥＡ中の水蒸気が調湿体６に吸収されると共に凝縮熱により加熱され、その加熱並びに除湿された排出用空気ＥＡが顕熱交換体９を通過するときに、その保有熱が顕熱交換体９に与えられて顕熱交換体９が加熱され、一方、供給用空気ＳＡは、顕熱交換体９を通過することで、顕熱交換体９が排出用空気ＥＡから得た熱により加熱され、更に、前記加湿暖房用の加熱器８を通過することで加熱され、そのように加熱された供給用空気ＳＡが前記調湿用設定速度にて回転する調湿体６を通過するときに調湿体６から放湿されて加湿され、そのように加湿並びに加熱された供給用空気ＳＡが空調対象室に供給される。
【００６６】
つまり、この加湿運転モードでは、空調対象室に供給される供給用空気ＳＡを無給水にて加湿すると共に加熱して空調対象室に供給することが可能となり、各空調対象室を加湿並びに暖房することができる。
【００６７】
図４に示すように、前記全熱・顕熱交換運転モードでは、前記給気送風機３及び前記排気送風機５夫々を作動させ、前記調湿体６を前記調湿用設定速度よりも高速の全熱交換用設定速度にて回転駆動するように前記調湿用電動モータ７を作動させ、前記加湿暖房用熱動弁１６を閉弁して前記加湿暖房用の加熱器８を加熱停止状態にし、前記顕熱交換用電動モータ１０を作動させて前記顕熱交換部Ｓを顕熱交換作動状態にする。
【００６８】
この全熱・顕熱交換運転モードでは、図２を参照すると、排出用空気ＥＡは、前記全熱交換用設定速度にて回転する調湿体６、回転する顕熱交換体９を順次通過して通流し、一方、供給用空気ＳＡは、回転する顕熱交換体９、加熱停止状態の加湿暖房用の加熱器８、前記全熱交換用設定速度にて回転する調湿体６を順次通過して通流する。
【００６９】
そして、調湿体６においては、供給用空気ＳＡと排出用空気ＥＡとの間で全熱交換量をより多くする状態で全熱交換させることができ、顕熱交換体９においては、供給用空気ＳＡと排出用空気ＥＡとの間で顕熱交換させることができるので、エンタルピー交換効率を増大することができる。
【００７０】
冬期等、この空調装置とは別の空調装置により空調対象室が暖房されているときや、夏期等、この空調装置とは別の空調装置により空調対象室が冷房されているときに、この空調装置を全熱・顕熱交換運転モードにて運転させると、暖房や冷房に係わる消費エネルギを削減することができる。
【００７１】
図４に示すように、前記暖房運転モードでは、前記給気送風機３及び前記排気送風機５夫々を作動させ、前記調湿体６を停止させ、前記加湿暖房用熱動弁１６を開弁して前記加湿暖房用の加熱器８を加熱作用状態にし、前記顕熱交換用電動モータ１０を作動させて前記顕熱交換部Ｓを顕熱交換作動状態にする。
【００７２】
この暖房運転モードでは、図２を参照すると、前記供給用空気入口１ｓｉから前記給気風路２に吸い込まれた供給用空気ＳＡは、停止中の顕熱交換体９を顕熱交換されること無く通過し、前記加湿暖房用の加熱器８にて加熱され、停止中の調湿体６を全熱交換されること無く通過して、前記供給用空気出口１ｓｏから例えば給気ダクトを通じて空調対象室に供給され、前記排出用空気入口１ｅｉから前記排気風路４に吸い込まれた排出用空気ＥＡは、停止中の調湿体６及び停止中の顕熱交換体９を熱交換されること無く通過して、前記排出用空気出口１ｅｏから例えば排気ダクトを通じて屋外に排出される。
【００７３】
つまり、空調装置をこの暖房運転モードにて運転すると、供給用空気ＳＡを加湿暖房用の加熱器８にて加熱して、空調対象室に供給することができるので、空調対象室を暖房することができる。
【００７４】
図４に示すように、前記顕熱交換運転モードでは、前記給気送風機３及び前記排気送風機５夫々を作動させ、前記調湿用電動モータ７を停止させて前記調湿体６の回転を停止させ、前記加湿暖房用熱動弁１６を閉弁して前記加湿暖房用の加熱器８を加熱停止状態にし、前記顕熱交換用電動モータ１０を作動させて前記顕熱交換部Ｓを顕熱交換作動状態にする。
【００７５】
この顕熱交換運転モードでは、図２を参照すると、排出用空気ＥＡは、停止中の調湿体６、回転する顕熱交換体９を順次通過して通流し、一方、供給用空気ＳＡは、回転する顕熱交換体９、加熱停止状態の加湿暖房用の加熱器８、停止中の調湿体６を順次通過して通流するので、顕熱交換体９において、供給用空気ＳＡと排出用空気ＥＡとを顕熱交換させることができる。
【００７６】
つまり、空調装置をこの顕熱交換運転モードにて運転すると、供給用空気ＳＡの方が排出用空気ＥＡよりも高温のときは、供給用空気ＳＡを冷却して空調対象室に供給することができ、供給用空気ＳＡの方が排出用空気ＥＡよりも低温のときは、供給用空気ＳＡを加熱して空調対象室に供給することができる。
【００７７】
次に、前記モード自動選択運転における前記運転制御部１１の制御動作を説明する。
このモード自動選択運転では、前記運転制御部１１は、前記外気湿度センサ１９、前記外気温度センサ２０、前記室内湿度センサ２１及び前記室内温度センサ２２夫々の検出情報に基づいて、空調対象室の空気（以下、室内空気と称する場合がある）の状況及び外気の状況を求め、求めた室内空気の状況及び外気の状況に応じた運転モードを複数の運転モードから択一的に選択して実行するように構成してある。
【００７８】
説明を加えると、運転制御部１１には、予め、室内空気の状況を求めるための室内空気状況導出情報、及び、外気の状況を求めるため外気状況導出情報を記憶させてある。
その室内空気状況導出情報としては、適温状態を判別するための温度範囲、多湿、適湿及び低湿の夫々の状態を判別するための湿度範囲が含まれ、外気状況導出情報として、夏期における高温、適温、中間期における高温、中温、適温、冬期における中温、低温の夫々の状態を判別するための温度範囲、多湿、適湿及び低湿の夫々の状態を判別するための湿度範囲が含まれる。
【００７９】
更に、予め、室内空気の多湿状態を判別するための湿度範囲内において、モード切換用の多湿時切換用設定湿度を設定し、室内空気の適湿状態を判別するための湿度範囲内において、モード切換用の適湿時切換用設定湿度を設定し、室内空気の適温状態を判別するための温度範囲内において、モード切換用の切換用設定温度を設定して、それら設定湿度及び設定温度を運転制御部１１に記憶させてある。
【００８０】
そして、運転制御部１１を、室内湿度センサ２１及び室内温度センサ２２夫々の検出情報及び室内空気状況導出情報に基づいて、室内空気の状況、例えば、多湿状態、適温適湿状態、低湿状態を求めるように構成してある。
【００８１】
又、運転制御部１１により、内蔵のカレンダー機能により、夏期、冬期及び中間期の夫々の季節を判別し、且つ、外気湿度センサ１９及び外気温度センサ２０夫々の検出情報及び外気状況導出情報に基づいて、夏期、冬期及び中間期の夫々に対応して、外気の状況を求めるように構成してある。
外気の状況としては、例えば、夏期では、高温多湿状態、高温適湿状態、適温適湿状態を求めさせ、中間期では、中温多湿状態、高温適湿状態、適温適湿状態を求めさせ、冬期では、中温低湿状態、低温低湿状態、低温適湿状態を求めさせる。
【００８２】
そして、運転制御部１１を、内蔵のカレンダー機能により判別した季節、前記外気湿度センサ１９の検出情報、前記外気温度センサ２０の検出情報及び外気状況導出情報に基づいて求めた外気の状況、並びに、前記室内湿度センサ２１の検出情報、前記室内温度センサ２２の検出情報及び室内空気状況導出情報に基づいて求めた室内空気の状況に基づいて、図５に示す選択条件にて運転モードを選択して実行するように構成してある。
【００８３】
つまり、夏期で、外気が高温多湿状態であると判別した場合は、室内空気が多湿状態であると判別すると、前記室内湿度センサ２１の検出湿度が前記多湿時切換用設定湿度よりも低いときは顕熱交換運転モードを、前記多湿時切換用設定湿度以上のときは全熱・顕熱交換運転モードを夫々実行し、室内空気が適温適湿状態であると判別すると、全熱・顕熱交換運転モードを実行する。
夏期で、外気が高温適湿状態であると判別した場合は、室内空気が多湿状態であると判別すると、顕熱交換運転モードを実行し、室内空気が適温適湿状態であると判別すると、前記室内湿度センサ２１の検出湿度が前記適湿時切換用設定湿度よりも低いときは顕熱交換運転モードを、前記適湿時切換用設定湿度以上のときは全熱・顕熱交換運転モードを夫々実行する。
夏期で、外気が適温適湿状態であると判別した場合は、室内空気が多湿状態であると判別したとき及び適温適湿状態であると判別したときのいずれも、通常換気運転モードを実行する。
【００８４】
又、中間期で、外気が中温多湿状態であると判別した場合は、室内空気が多湿状態であると判別すると、前記室内湿度センサ２１の検出湿度が前記多湿時切換用設定湿度よりも低いときは通常換気運転モードを、前記多湿時切換用設定湿度以上のときは全熱・顕熱交換運転モードを夫々実行し、室内空気が適温適湿状態であると判別すると、全熱・顕熱交換運転モードを実行する。
中間期で、外気が高温適湿状態であると判別した場合は、室内空気が多湿状態であると判別したとき及び適温適湿状態であると判別したときのいずれも、顕熱交換運転モードを実行する。
中間期で、外気が適温適湿状態であると判別した場合は、室内空気が多湿状態であると判別したとき及び適温適湿状態であると判別したときのいずれも、通常換気運転モードを実行する。
【００８５】
又、冬期で、外気が中温低湿状態であると判別した場合は、室内空気が適温適湿状態であると判別すると、全熱・顕熱交換運転モードを実行し、室内空気が低湿状態であると判別すると、加湿運転モードを実行する。
又、冬期で、外気が低温低湿状態であると判別した場合は、室内空気が適温適湿状態であると判別すると、前記室内温度センサ２２の検出温度が前記切換用設定温度よりも低いときは暖房運転モードを、前記室内温度センサ２２の検出温度が前記切換用設定温度以上で且つ前記室内湿度センサ２１の検出湿度が設定湿度以下のときは加湿運転モードを、前記室内温度センサ２２の検出温度が前記切換用設定温度以上で且つ前記室内湿度センサ２１の検出湿度が設定湿度よりも高いときは全熱・顕熱交換運転モードを夫々実行し、室内空気が低湿状態であると判別すると、加湿運転モードを実行する。
又、冬期で、外気が低温適湿状態であると判別した場合は、室内空気が適温適湿状態であると判別すると、前記室内温度センサ２２の検出温度が前記切換用設定温度よりも低いときは暖房運転モードを、前記室内温度センサ２２の検出温度が前記切換用設定温度以上のとき全熱・顕熱交換運転モードを夫々実行し、室内空気が低湿状態であると判別すると、前記室内温度センサ２２の検出温度が前記切換用設定温度よりも低いときは暖房運転モードを、前記室内温度センサ２２の検出温度が前記切換用設定温度以上のとき加湿運転モードを夫々実行する。
【００８６】
上述のように構成した空調装置は、供給用空気ＳＡ及び排出用空気ＥＡ夫々としてどのような空気を用いるかにより、種々の使用形態が可能であり、以下、その使用形態の一例を説明する、
図６に示すように、この第１実施形態では、外気ＯＡを導入する外気導入ダクト（図示省略）を前記供給用空気入口１ｓｉに接続し、各空調対象室から室内空気ＲＡを排出する室内空気排出ダクト（図示省略）を前記排出用空気入口１ｅｉに接続して、給気送風機３により、供給用空気入口１ｓｉから吸い込んだ外気ＯＡを供給用空気ＳＡとして給気風路２を通して通流させて供給用空気出口１ｓｏから各空調対象室に供給すると共に、排気送風機５により、排出用空気入口１ｅｉから吸い込んだ各空調対象室からの室内空気ＲＡを排出用空気ＥＡとして排気風路４を通して通流させて排出用空気出口１ｅｏから屋外に排出するように構成して、第１種換気を行うように構成してある。
【００８７】
つまり、この第１実施形態の空調装置は、外気ＯＡを供給用空気ＳＡとして、空調対象室内の室内空気ＲＡを排出用空気ＥＡとして用いて、供給用空気ＳＡとする外気ＯＡと排出用空気ＥＡとする室内空気ＲＡとを前記調湿部Ｌや顕熱交換部Ｓにて熱交換させて、供給用空気ＳＡとする外気ＯＡを空調して、その空調した外気ＯＡを供給用空気ＳＡとして空調対象室に供給するように構成してある。
そして、この第１実施形態の空調装置は、第１種換気を行わせながら、上述した加湿運転モード、全熱・顕熱交換運転モード、顕熱交換運転モード及び暖房運転モードの各運転モードを実行可能なように構成してある。
【００８８】
以下、本発明の第２ないし第４の各実施形態を説明するが、これらの実施形態は、空調装置の使用形態を上記の第１実施形態と異ならせた実施形態であって、空調装置の構成は第１実施形態と同様であるので、空調装置の構成についての説明は省略する。
【００８９】
〔第２実施形態〕
図７に示すように、この第２実施形態では、外気ＯＡを導入する外気導入ダクト（図示省略）を前記供給用空気入口１ｓｉ及び前記排出用空気入口１ｅｉの夫々に接続して、給気送風機３により、供給用空気入口１ｓｉから吸い込んだ外気ＯＡを供給用空気ＳＡとして給気風路２を通して通流させて供給用空気出口１ｓｏから各空調対象室に供給すると共に、排気送風機５により、排出用空気入口１ｅｉから吸い込んだ外気ＯＡを排出用空気ＥＡとして排気風路４を通して通流させて排出用空気出口１ｅｏから屋外に排出するように構成して、第２種換気を行うように構成してある。
【００９０】
つまり、この第２実施形態の空調装置は、外気ＯＡを供給用空気ＳＡ及び排出用空気ＥＡの夫々として用いて、外気ＯＡ同士を前記調湿部Ｌや顕熱交換部Ｓにて熱交換させて、供給用空気ＳＡとする外気ＯＡを空調して、その空調した外気ＯＡを供給用空気ＳＡとして空調対象室に供給するように構成してある。
そして、この第２実施形態の空調装置は、第２種換気を行わせながら、上述した加湿運転モード、全熱・顕熱交換運転モード、顕熱交換運転モード及び暖房運転モードの各運転モードを実行可能なように構成してある。
【００９１】
〔第３実施形態〕
図８に示すように、この第３実施形態では、各空調対象室から室内空気ＲＡを排出する室内空気排出ダクト（図示省略）を前記供給用空気入口１ｓｉ及び前記排出用空気入口１ｅｉの夫々に接続して、給気送風機３により、供給用空気入口１ｓｉから吸い込んだ各空調対象室からの室内空気ＲＡを供給用空気ＳＡとして給気風路２を通して通流させて供給用空気出口１ｓｏから各空調対象室に供給すると共に、排気送風機５により、排出用空気入口１ｅｉから吸い込んだ各空調対象室からの室内空気ＲＡを排出用空気ＥＡとして排気風路４を通して通流させて排出用空気出口１ｅｏから屋外に排出するように構成して、第３種換気を行うように構成してある。
【００９２】
つまり、この第３実施形態の空調装置は、室内空気ＲＡを供給用空気ＳＡ及び排出用空気ＥＡの夫々として用いて、室内空気ＲＡ同士を前記調湿部Ｌや顕熱交換部Ｓにて熱交換させて、供給用空気ＳＡとする室内空気ＲＡを空調して、その空調した室内空気ＲＡを供給用空気ＳＡとして空調対象室に供給するように構成してある。
そして、この第３実施形態の空調装置は、第３種換気を行わせながら、上述した加湿運転モード、全熱・顕熱交換運転モード、顕熱交換運転モード及び暖房運転モードの各運転モードを実行可能なように構成してある。
【００９３】
〔第４実施形態〕
図９に示すように、この第４実施形態では、各空調対象室から室内空気ＲＡを排出する室内空気排出ダクト（図示省略）を前記供給用空気入口１ｓｉに接続し、外気ＯＡを導入する外気導入ダクト（図示省略）を前記排出用空気入口１ｅｉに接続して、給気送風機３により、供給用空気入口１ｓｉから吸い込んだ各空調対象室からの室内空気ＲＡを供給用空気ＳＡとして給気風路２を通して通流させて供給用空気出口１ｓｏから各空調対象室に供給すると共に、排気送風機５により、排出用空気入口１ｅｉから吸い込んだ外気ＯＡを排出用空気ＥＡとして排気風路４を通して通流させて前記排気ダクトを通じて屋外に排出するように構成してある。
【００９４】
つまり、この第４実施形態の空調装置は、空調対象室内の室内空気ＲＡを供給用空気ＳＡとして、外気ＯＡを排出用空気ＥＡとして用いて、供給用空気ＳＡとする室内空気ＲＡと排出用空気ＥＡとする外気ＯＡとを前記調湿部Ｌや顕熱交換部Ｓにて熱交換させて、供給用空気ＳＡとする室内空気ＲＡを空調して、その空調した室内空気ＲＡを供給用空気ＳＡとして空調対象室に供給するように構成してある。
そして、この第４実施形態の空調装置は、空調対象室の室内空気ＲＡを空調装置を通して循環させながら、上述した加湿運転モード、全熱・顕熱交換運転モード、顕熱交換運転モード及び暖房運転モードの各運転モードを実行可能なように構成してある。
【００９５】
〔第５実施形態〕
以下、第５実施形態を説明するが、この第５実施形態では、図１０に示すように、前記調湿体６を通過し且つ前記顕熱交換体９を通過する前の排出用空気ＥＡの一部を、前記給気風路２における前記顕熱交換体９と前記加湿暖房用の加熱器８との間の箇所に導く供給用導風部としての供給用連通口２３を設けた以外は、上記の第１実施形態と同様に構成してあるので、第１実施形態と同じ構成要素や同じ作用を有する構成要素については、同じ符号を付すことにより説明を省略し、主として、第１実施形態と異なる構成を説明する。
【００９６】
図１０に示すように、前記仕切り壁１６において、顕熱交換体９と加湿暖房用の加熱器８との間に相当する部分に、前記供給用連通口２３を設けて、前記給気送風機３及び前記排気送風機５夫々を通風量が前記給気送風機３の方が多くなるように作動させることにより、調湿体６を通過し且つ前記顕熱交換体９を通過する前の排出用空気ＥＡの一部を、前記供給用連通口２３を通して、前記給気風路２における前記顕熱交換体９と前記加湿暖房用の加熱器８との間の箇所に導くように構成してある。
【００９７】
つまり、調湿体６を通過することで加熱された高温の排出用空気ＥＡの一部を、顕熱交換体９を通過させる前に、給気風路２における顕熱交換体９と加湿暖房用の加熱器８との間の箇所に導いて供給用空気ＳＡに混合させるので、調湿体６を通過する供給用空気ＳＡの風量を多くすることができ、加湿運転モードでは、空調対象室をより早く加湿及び暖房することが可能となると共に、加湿暖房用の加熱器８にて供給用空気ＳＡを加熱するために要するエネルギー量を低減することが可能となり、又、全熱・顕熱交換運転モードでは、エンタルピー交換効率をより増大することが可能となる。
【００９８】
次に、上述のように構成した空調装置の使用形態について説明する。
図１１に示すように、この第５実施形態では、上記の第１実施形態と同様に、外気ＯＡを導入する外気導入ダクト（図示省略）を前記供給用空気入口１ｓｉに接続し、各空調対象室から室内空気ＲＡを排出する室内空気排出ダクト（図示省略）を前記排出用空気入口１ｅｉに接続して、給気送風機３により、排気風路４を排出用空気ＥＡとして通流する室内空気ＲＡの一部を調湿体６を通過した後、顕熱交換体９を通過する前に給気風路２における顕熱交換体９と加湿暖房用の加熱器８との間の箇所に導入しつつ、外気ＯＡを供給用空気ＳＡとして給気風路２を通して通流させて各空調対象室に供給すると共に、排気送風機５により、各空調対象室からの室内空気ＲＡを排出用空気ＥＡとして排気風路４を通流させて屋外に排出するように構成して、第１種換気を行うように構成してある。
【００９９】
つまり、この第５実施形態の空調装置は、外気ＯＡを供給用空気ＳＡとして、空調対象室内の室内空気ＲＡを排出用空気ＥＡとして用いて、供給用空気ＳＡとする外気ＯＡと排出用空気ＥＡとする室内空気ＲＡとを前記調湿部Ｌや顕熱交換部Ｓにて熱交換させて、供給用空気ＳＡとする外気ＯＡを空調して、その空調した外気ＯＡを供給用空気ＳＡとして空調対象室に供給するように構成してある。
【０１００】
以下、本発明の第６ないし第８の各実施形態を説明するが、これらの実施形態は、空調装置の使用形態を上記の第５実施形態と異ならせた実施形態であって、空調装置の構成は第５実施形態と同様であるので、空調装置の構成についての説明は省略する。
【０１０１】
〔第６実施形態〕
図１２に示すように、この第６実施形態では、上記の第２実施形態と同様に、外気ＯＡを導入する外気導入ダクト（図示省略）を前記供給用空気入口１ｓｉ及び前記排出用空気入口１ｅｉの夫々に接続して、給気送風機３により、排気風路４を排出用空気ＥＡとして通流する外気ＯＡの一部を調湿体６を通過した後、顕熱交換体９を通過する前に給気風路２における顕熱交換体９と加湿暖房用の加熱器８との間の箇所に導入しつつ、外気ＯＡを供給用空気ＳＡとして給気風路２を通して通流させて各空調対象室に供給すると共に、排気送風機５により、外気ＯＡを排出用空気ＥＡとして排気風路４を通して通流させて屋外に排出するように構成して、第２種換気を行うように構成してある。
【０１０２】
つまり、この第６実施形態の空調装置は、外気ＯＡを供給用空気ＳＡ及び排出用空気ＥＡの夫々として用いて、外気ＯＡ同士を前記調湿部Ｌや顕熱交換部Ｓにて熱交換させて、供給用空気ＳＡとする外気ＯＡを空調して、その空調した外気ＯＡを供給用空気ＳＡとして空調対象室に供給するように構成してある。
【０１０３】
〔第７実施形態〕
図１３に示すように、第７実施形態では、上記の第３実施形態と同様に、各空調対象室から室内空気ＲＡを排出する室内空気排出ダクト（図示省略）を前記供給用空気入口１ｓｉ及び前記排出用空気入口１ｅｉの夫々に接続して、給気送風機３により、排気風路４を排出用空気ＥＡとして通流する室内空気ＲＡの一部を調湿体６を通過した後、顕熱交換体９を通過する前に給気風路２における顕熱交換体９と加湿暖房用の加熱器８との間の箇所に導入しつつ、室内空気ＲＡを供給用空気ＳＡとして給気風路２を通して通流させて各空調対象室に供給すると共に、排気送風機５により、各空調対象室からの室内空気ＲＡを排出用空気ＥＡとして排気風路４を通して通流させて屋外に排出するように構成して、第３種換気を行うように構成してある。
【０１０４】
つまり、この第７実施形態の空調装置は、室内空気ＲＡを供給用空気ＳＡ及び排出用空気ＥＡの夫々として用いて、室内空気ＲＡ同士を前記調湿部Ｌや顕熱交換部Ｓにて熱交換させて、供給用空気ＳＡとする室内空気ＲＡを空調して、その空調した室内空気ＲＡを供給用空気ＳＡとして空調対象室に供給するように構成してある。
【０１０５】
〔第８実施形態〕
図１４に示すように、この第８実施形態では、上記の第４実施形態と同様に、各空調対象室から室内空気ＲＡを排出する室内空気排出ダクト（図示省略）を前記供給用空気入口１ｓｉに接続し、外気ＯＡを導入する外気導入ダクト（図示省略）を前記排出用空気入口１ｅｉに接続して、給気送風機３により、排気風路４を排出用空気ＥＡとして通流する外気ＯＡの一部を調湿体６を通過した後、顕熱交換体９を通過する前に給気風路２における顕熱交換体９と加湿暖房用の加熱器８との間の箇所に導入しつつ、各空調対象室からの室内空気ＲＡを供給用空気ＳＡとして給気風路２を通して通流させて各空調対象室に供給すると共に、排気送風機５により、外気ＯＡを排出用空気ＥＡとして排気風路４を通して通流させて屋外に排出するように構成してある。
つまり、給気送風機３により、排気風路４を通流する外気ＯＡの一部を、空調対象室に強制的に供給するように構成して、第２種換気を行わせるように構成してある。
【０１０６】
又、この第８実施形態の空調装置は、空調対象室内の室内空気ＲＡを供給用空気ＳＡとして、外気ＯＡを排出用空気ＥＡとして用いて、供給用空気ＳＡとする室内空気ＲＡと排出用空気ＥＡとする外気ＯＡとを前記調湿部Ｌや顕熱交換部Ｓにて熱交換させて、供給用空気ＳＡとする室内空気ＲＡを空調して、その空調した室内空気ＲＡを供給用空気ＳＡとして空調対象室に供給するように構成してある。
【０１０７】
〔第９実施形態〕
この第９実施形態の空調装置は、除湿専用型であり、この除湿専用型の空調装置は、図１５に示すように、上記の第１実施形態と同様のユニット状の調湿部Ｌ及び顕熱交換部Ｓを、顕熱交換部Ｓが前記供給用空気出口１ｓｏの側に位置し且つ前記供給用空気入口１ｓｉ及び前記供給用空気出口１ｓｏの並び方向に間隔を開けた状態で、第１実施形態と同様の姿勢にて、前記ケーシング１内に並べて設け、前記加熱手段として、第１実施形態における加湿暖房用の加熱器８に代えて、除湿用の加熱器２４を、前記排気風路４における前記調湿体６よりも通風方向上手側の箇所にて、通流する空気に対して加熱作用するように設けた以外は、上記の第１実施形態と同様に構成してある。
【０１０８】
即ち、前記ケーシング１内を、第１実施形態と同様に、仕切り壁１６にて、前記供給用空気入口１ｓｉ及び前記供給用空気出口１ｓｏが存在する側と前記排出用空気出口１ｅｏ及び前記排出用空気入口１ｅｉが存在する側とに区画して、前記ケーシング１内に、一端が前記供給用空気入口１ｓｉに連通し且つ他端が前記供給用空気出口１ｓｏに連通する状態の前記給気風路２と、一端が前記排出用空気入口１ｅｉに連通し且つ他端が前記排出用空気出口１ｅｏに連通する状態の前記排気風路４を区画形成してある。
【０１０９】
そして、第１実施形態と同様に、調湿用電動モータ７の回転速度を変更調節することにより、前記調湿体６の駆動回転速度を変更調節自在なように構成し、顕熱交換用電動モータ１０を作動させることにより、前記顕熱交換部Ｓを顕熱交換作動状態にし、顕熱交換用電動モータ１０を停止させることにより、前記顕熱交換部Ｓを顕熱交換停止状態にするように構成してある。
【０１１０】
前記除湿用の加熱器２４は、前記排気風路４における前記調湿部Ｌと前記顕熱交換部Ｓとの間に設けて、その除湿用の加熱器２４と熱源機（図示省略）とを熱媒循環路２５にて接続する共に、前記熱媒循環路２５に除湿用熱動弁２６を設けて、その除湿用熱動弁２６を開閉して前記除湿用の加熱器２４への熱媒の供給を断続することにより、前記除湿用の加熱器２４を加熱作用状態と加熱停止状態とに切り換え自在に構成してある。
【０１１１】
前記給気送風機３を、その吸い込み口を前記給気風路２内に臨ませ且つ吐き出し口を前記供給用空気出口１ｓｏに内嵌させた状態で前記給気風路２内に設けることにより、給気送風機３を、前記供給用空気入口１ｓｉから吸い込んだ供給用空気ＳＡを、前記調湿体６、前記顕熱交換体９を順次を通過させて前記供給用空気出口１ｓｏから送出するように、前記給気風路２に通風作用させる構成としてある。
又、前記排気送風機５を、その吸い込み口を前記排気風路４内に臨ませ且つ吐き出し口を前記排出用空気出口１ｅｏに内嵌させた状態で前記排気風路４内に設けることにより、排気送風機５を、前記排出用空気入口１ｅｉから吸い込んだ排出用空気ＥＡを前記顕熱交換体９、前記除湿用の加熱器２４、前記調湿体６を順次通過させて前記排出用空気出口１ｅｏから送出するように、前記排気風路４に通風作用させる構成としてある。
つまり、給気風路２の通風方向と排気風路４の通風方向が互いに逆向きになる。
【０１１２】
つまり、この除湿専用型の空調装置は、除湿用の加熱器２４を前記排気風路４における前記調湿体６よりも通風方向上手側箇所に設け、且つ、前記顕熱交換体９をその一部を前記給気風路２における前記調湿体６よりも通風方向下手側箇所に位置させ且つ他の一部を前記排気風路４における前記除湿用の加熱器２４よりも通風方向上手側箇所に位置させるように配置して、供給用空気ＳＡを前記調湿部Ｌにて除湿した後に、前記顕熱交換部Ｓにて冷却するように構成してある。
【０１１３】
この第９実施形態では、前記運転制御部１１を、運転モードとして、前記調湿体６を調湿用設定速度で回転駆動し、前記除湿用の加熱器２４を加熱作用状態にし及び前記顕熱交換部Ｓを前記顕熱交換作動状態にする調湿運転モードとしての除湿運転モード、前記調湿体６を前記調湿用設定速度よりも高速の全熱交換用設定速度で回転駆動し、前記除湿用の加熱器２４を加熱停止状態にし及び前記顕熱交換部Ｓを前記顕熱交換作動状態にする全熱・顕熱交換運転モード、前記調湿体６の駆動回転を停止し、前記除湿用の加熱器２４を加熱停止状態にし及び前記顕熱交換部Ｓを前記顕熱交換作動状態にする顕熱交換運転モード、並びに、前記調湿体６の駆動回転を停止し、前記除湿用の加熱器２４を加熱停止状態にし及び前記顕熱交換部Ｓを前記顕熱交換停止状態にする通常換気運転モードを備えるように構成してある。
【０１１４】
次に、図３５に基づいて、前記調湿用設定速度の設定の仕方について説明する。
図３５中の一点鎖線は、前記除湿用の加熱器２４を加熱作用状態にし且つ前記給気風路２及び前記排気風路４の夫々に通風させる状態で、調湿体７の回転速度を変更させて、各回転速度での調湿体７の除湿性能（除湿量）を、回転速度が１．３回／分のときを１００％として比較したものである。
調湿体７の回転速度が０．７〜１．３回／分のときに、調湿部Ｌの除湿性能が高くなるので、前記調湿用設定速度を例えば１．３回／分に設定してある。
【０１１５】
上記の第１実施形態と同様に、空調対象室が暖房される冬期等、排出用空気ＥＡの方が供給用空気ＳＡよりも高温多湿の状態のときは、前記全熱交換用設定速度を、前記調湿用設定速度の２．２〜４．１倍に設定するのが好ましく、前記調湿用設定速度の３．６倍に設定するのが最も好ましく、空調対象室が冷房される夏期等、供給用空気ＳＡの方が排出用空気ＥＡよりも高温多湿の状態のときは、前記全熱交換用設定速度を、前記調湿用設定速度の３．１〜４．１倍に設定するのが好ましく、前記調湿用設定速度の３．６倍に設定するのが最も好ましい。
【０１１６】
次に、前記運転制御部１１の制御動作について、説明する。
運転制御部１１は、前記操作部１２からの指令情報に基づいて、運転モード選択スイッチにて指令された運転モードを実行し、又、自動運転スイッチにてモード自動選択運転が指令されると、そのモード自動選択運転を実行するように構成してある。
【０１１７】
以下、図１６に基づいて、上記の各運転モード夫々についての前記運転制御部１１の制御動作を説明する。
前記通常換気運転モードでは、前記給気送風機３及び前記排気送風機５夫々を作動させ、前記調湿用電動モータ７を停止させて前記調湿体６の回転を停止させ、前記除湿用熱動弁２６を閉弁して前記除湿用の加熱器２４を加熱停止状態にし、前記顕熱交換用電動モータ１０を停止させて前記顕熱交換部Ｓを顕熱交換停止状態にする。
【０１１８】
前記除湿運転モードでは、前記給気送風機３及び前記排気送風機５夫々を作動させ、前記調湿体６を予め設定した調湿用設定速度にて回転駆動するように前記調湿用電動モータ７を作動させ、前記除湿用熱動弁２６を開弁して前記除湿用の加熱器２４を加熱作用状態にし、前記顕熱交換用電動モータ１０を作動させて前記顕熱交換部Ｓを顕熱交換作動状態にする。
【０１１９】
この除湿運転モードでは、図１５を参照すると、排出用空気入口１ｅｉから排気風路４に吸い込まれた排出用空気ＥＡは、回転する顕熱交換体９、加熱作用状態の除湿用の加熱器２４、前記調湿用設定速度にて回転する調湿体６を順次通過して通流して、排出用空気出口１ｅｏから例えば排気ダクトを通じて屋外に排出され、一方、供給用空気入口１ｓｉから前記給気風路２に吸い込まれた供給用空気ＳＡは、前記調湿用設定速度にて回転する調湿体６、回転する顕熱交換体９を順次通過して通流して、供給用空気出口１ｓｏから例えば給気ダクトを通じて空調対象室に供給される。
【０１２０】
そして、排出用空気ＥＡは、顕熱交換体９を通過するときに、その顕熱交換体９が供給用空気ＳＡから得た熱を吸熱することにより加熱され、更に、除湿用の加熱器２４を通過することで加熱され、そのように加熱された排出用空気ＥＡが調湿体６を通過するときに調湿体６から放湿されて加湿され、一方、供給用空気ＳＡは、調湿体６を通過するときに、その供給用空気ＳＡ中の水蒸気が調湿体６に吸収されて除湿されると共に凝縮熱により加熱され、そのように除湿並びに加熱された供給用空気ＳＡが顕熱交換体９を通過するときに、その保有熱が顕熱交換体９に与えられて冷却され、そのように除湿並びに冷却された供給用空気ＳＡが空調対象室に供給されるので、空調対象室を除湿することができる。
【０１２１】
図１６に示すように、前記全熱・顕熱交換運転モードでは、前記給気送風機３及び前記排気送風機５夫々を作動させ、前記調湿体６を前記調湿用設定速度よりも高速の全熱交換用設定速度にて回転駆動するように前記調湿用電動モータ７を作動させ、前記除湿用熱動弁２６を閉弁して前記除湿用の加熱器２４を加熱停止状態にし、前記顕熱交換用電動モータ１０を作動させて前記顕熱交換部Ｓを顕熱交換作動状態にする。
【０１２２】
この全熱・顕熱交換運転モードでは、図１５を参照すると、排出用空気ＥＡは、回転する顕熱交換体９、加熱停止状態の除湿用の加熱器２４、前記全熱交換用設定速度にて回転する調湿体６を順次通過して通流し、一方、供給用空気ＳＡは、前記全熱交換用設定速度にて回転する調湿体６、回転する顕熱交換体９を順次通過して通流する。
【０１２３】
そして、調湿体６においては、供給用空気ＳＡと排出用空気ＥＡとの間で全熱交換量をより多くする状態で全熱交換させることができ、顕熱交換体９においては、供給用空気ＳＡと排出用空気ＥＡとの間で顕熱交換させることができるので、エンタルピー交換効率を増大することができる。
【０１２４】
冬期等、この空調装置とは別の空調装置により空調対象室が暖房されているときや、夏期等、この空調装置とは別の空調装置により空調対象室が冷房されているときに、この空調装置を全熱・顕熱交換運転モードにて運転させると、暖房や冷房に係わる消費エネルギを削減することができる。
【０１２５】
前記顕熱交換運転モードでは、前記給気送風機３及び前記排気送風機５夫々を作動させ、前記調湿用電動モータ７を停止させて前記調湿体６の回転を停止させ、前記加湿暖房用熱動弁１６を閉弁して前記加湿暖房用の加熱器８を加熱停止状態にし、前記顕熱交換用電動モータ１０を作動させて前記顕熱交換部Ｓを顕熱交換作動状態にする。
【０１２６】
この顕熱交換運転モードでは、図１５を参照すると、排出用空気ＥＡは、回転する顕熱交換体９、加熱停止状態の除湿用の加熱器２４、停止中の調湿体６を順次通過して通流し、一方、供給用空気ＳＡは、停止中の調湿体６、回転する顕熱交換体９を順次通過して通流するので、顕熱交換体９において、供給用空気ＳＡと排出用空気ＥＡとを顕熱交換させることができる。
【０１２７】
つまり、空調装置をこの顕熱交換運転モードにて運転すると、供給用空気ＳＡの方が排出用空気ＥＡよりも高温のときは、供給用空気ＳＡを冷却して空調対象室に供給することができ、供給用空気ＳＡの方が排出用空気ＥＡよりも低温のときは、供給用空気ＳＡを加熱して空調対象室に供給することができる。
【０１２８】
次に、前記モード自動選択運転における前記運転制御部１１の制御動作を説明する。
このモード自動選択運転では、上記の第１実施形態と同様に、前記運転制御部１１は、前記外気湿度センサ１９、前記外気温度センサ２０、前記室内湿度センサ２１及び前記室内温度センサ２２夫々の検出情報に基づいて、室内空気の状況及び外気の状況を求め、求めた室内空気の状況及び外気の状況に応じた運転モードを複数の運転モードから択一的に選択して実行するように構成してある。
【０１２９】
説明を加えると、運転制御部１１には、予め、第１実施形態と同様の室内空気状況導出情報、外気状況導出情報、多湿時切換用設定湿度、適湿時切換用設定湿度及び切換用設定温度を記憶させてある。
【０１３０】
そして、第１実施形態と同様に、運転制御部１１を、内蔵のカレンダー機能により夏期、冬期及び中間期の夫々の季節を判別すると共に、外気湿度センサ１９及び外気温度センサ２０夫々の検出情報並びに外気状況導出情報に基づいて、夏期、冬期及び中間期の夫々に対応して外気の状況を求め、室内湿度センサ２１及び室内温度センサ２２夫々の検出情報並びに室内空気状況導出情報に基づいて、室内空気の状況を求めて、判別した季節、並びに、求めた室内空気の状況及び外気の状況に基づいて、図１７に示す選択条件にて運転モードを選択して実行するように構成してある。
【０１３１】
つまり、夏期で、外気が高温多湿状態であると判別した場合は、室内空気が多湿状態であると判別すると、除湿運転モードを実行し、室内空気が適温適湿状態であると判別すると、前記室内湿度センサ２１の検出湿度が前記適湿時切換用設定湿度よりも高いときは除湿運転モードを、前記適湿時切換用設定湿度以下のときは全熱・顕熱交換運転モードを夫々実行する。
夏期で、外気が高温適湿状態であると判別した場合は、室内空気が多湿状態であると判別すると、前記室内湿度センサ２１の検出湿度が前記多湿時切換用設定湿度よりも高いときは除湿運転モードを、前記多湿時切換用設定湿度以下のときは顕熱交換運転モードを夫々実行し、室内空気が適温適湿状態であると判別すると、前記室内湿度センサ２１の検出湿度が前記適湿時切換用設定湿度よりも高いときは全熱・顕熱交換運転モードを、前記適湿時切換用設定湿度以下のときは顕熱交換運転モードを夫々実行する。
夏期で、外気が適温適湿状態であると判別した場合は、室内空気が多湿状態であると判別したとき及び適温適湿状態であると判別したときのいずれも、通常換気運転モードを実行する。
【０１３２】
又、中間期で、外気が中温多湿状態であると判別した場合は、室内空気が多湿状態であると判別すると、除湿運転モードを実行し、室内空気が適温適湿状態であると判別すると、前記室内湿度センサ２１の検出湿度が前記適湿時切換用設定湿度よりも高いときは除湿運転モードを、前記適湿時切換用設定湿度以下のときは全熱・顕熱交換運転モードを夫々実行する。
中間期で、外気が高温適湿状態であると判別した場合は、室内空気が多湿状態であると判別すると、前記室内湿度センサ２１の検出湿度が前記多湿時切換用設定湿度よりも高いときは除湿運転モードを、前記多湿時切換用設定湿度以下のときは顕熱交換運転モードを夫々実行し、室内空気が適温適湿状態であると判別すると、顕熱交換運転モードを実行する。
中間期で、外気が適温適湿状態であると判別した場合は、室内空気が多湿状態であると判別したとき及び適温適湿状態であると判別したときのいずれも、通常換気運転モードを実行する。
【０１３３】
又、冬期で、外気が中温低湿状態であると判別した場合は、室内空気が適温適湿状態であると判別したとき及び低湿状態であると判別したときのいずれも、全熱・顕熱交換運転モードを実行する。
又、冬期で、外気が低温低湿状態であると判別した場合は、室内空気が適温適湿状態であると判別したとき及び低湿状態であると判別したときのいずれも、全熱・顕熱交換運転モードを実行する。
又、冬期で、外気が低温適湿状態であると判別した場合は、室内空気が適温適湿状態であると判別すると、全熱・顕熱交換運転モードを実行し、室内空気が低湿状態であると判別すると、顕熱運転モードを実行する。
【０１３４】
次に、上述のように構成した空調装置の使用形態について説明する。
図１８に示すように、この第９実施形態では、上記の第１実施形態と同様に、外気ＯＡを導入する外気導入ダクト（図示省略）を前記供給用空気入口１ｓｉに接続し、各空調対象室から室内空気ＲＡを排出する室内空気排出ダクト（図示省略）を前記排出用空気入口１ｅｉに接続して、第１種換気を行うように構成してある。
【０１３５】
つまり、この第９実施形態の空調装置は、外気ＯＡを供給用空気ＳＡとして、空調対象室内の室内空気ＲＡを排出用空気ＥＡとして用いて、供給用空気ＳＡとする外気ＯＡと排出用空気ＥＡとする室内空気ＲＡとを前記調湿部Ｌや顕熱交換部Ｓにて熱交換させて、供給用空気ＳＡとする外気ＯＡを空調して、その空調した外気ＯＡを供給用空気ＳＡとして空調対象室に供給するように構成してある。
【０１３６】
以下、本発明の第１０ないし第１２の各実施形態を説明するが、これらの実施形態は、空調装置の使用形態を上記の第９実施形態と異ならせた実施形態であって、空調装置の構成は第９実施形態と同様であるので、空調装置の構成についての説明は省略する。
【０１３７】
〔第１０実施形態〕
図１９に示すように、この第１０実施形態では、上記の第２実施形態と同様に、外気ＯＡを導入する外気導入ダクト（図示省略）を前記供給用空気入口１ｓｉ及び前記排出用空気入口１ｅｉの夫々に接続して、第２種換気を行うように構成してある。
【０１３８】
つまり、この第１０実施形態の空調装置は、上記の第２実施形態と同様に、外気ＯＡを供給用空気ＳＡ及び排出用空気ＥＡの夫々として用いて、外気ＯＡ同士を前記調湿部Ｌや顕熱交換部Ｓにて熱交換させて、供給用空気ＳＡとする外気ＯＡを空調して、その空調した外気ＯＡを供給用空気ＳＡとして空調対象室に供給するように構成してある。
【０１３９】
〔第１１実施形態〕
図２０に示すように、第１１実施形態では、上記の第３実施形態と同様に、各空調対象室から室内空気ＲＡを排出する室内空気排出ダクト（図示省略）を前記供給用空気入口１ｓｉ及び前記排出用空気入口１ｅｉの夫々に接続して、第３種換気を行うように構成してある。
【０１４０】
つまり、この第１１実施形態の空調装置は、上記の第３実施形態と同様に、室内空気ＲＡを供給用空気ＳＡ及び排出用空気ＥＡの夫々として用いて、室内空気ＲＡ同士を前記調湿部Ｌや顕熱交換部Ｓにて熱交換させて、供給用空気ＳＡとする室内空気ＲＡを空調して、その空調した室内空気ＲＡを供給用空気ＳＡとして空調対象室に供給するように構成してある。
【０１４１】
〔第１２実施形態〕
図２１に示すように、この第１２実施形態では、上記の第４実施形態と同様に、各空調対象室から室内空気ＲＡを排出する室内空気排出ダクト（図示省略）を前記供給用空気入口１ｓｉに接続し、外気ＯＡを導入する外気導入ダクト（図示省略）を前記排出用空気入口１ｅｉに接続してある。
【０１４２】
つまり、この第１２実施形態の空調装置は、上記の第４実施形態と同様に、空調対象室内の室内空気ＲＡを供給用空気ＳＡとして、外気ＯＡを排出用空気ＥＡとして用いて、供給用空気ＳＡとする室内空気ＲＡと排出用空気ＥＡとする外気ＯＡとを前記調湿部Ｌや顕熱交換部Ｓにて熱交換させて、供給用空気ＳＡとする室内空気ＲＡを空調して、その空調した室内空気ＲＡを供給用空気ＳＡとして空調対象室に供給するように構成してある。
【０１４３】
〔第１３実施形態〕
以下、第１３実施形態を説明するが、この第１３実施形態では、図２２に示すように、前記調湿体６を通過し且つ前記顕熱交換体９を通過する前の供給用空気ＳＡの一部を、前記排気風路４における前記顕熱交換体９と前記除湿用の加熱器２４との間の箇所に導く排出用導風部としての排出用連通口２７を設けた以外は、上記の第９実施形態と同様に構成してあるので、第９実施形態と同じ構成要素や同じ作用を有する構成要素については、同じ符号を付すことにより説明を省略し、主として、第９実施形態と異なる構成を説明する。
【０１４４】
図２２に示すように、前記仕切り壁１６において、顕熱交換体９と除湿用の加熱器２４との間に相当する部分に、前記排出用連通口２７を設けて、前記給気送風機３及び前記排気送風機５夫々を通風量が前記排気送風機５の方が多くなるように作動させることにより、調湿体６を通過し且つ前記顕熱交換体９を通過する前の供給用空気ＳＡの一部を、前記排出用連通口２７を通して、前記排気風路４における前記顕熱交換体９と前記除湿用の加熱器２４との間の箇所に導くように構成してある。
【０１４５】
つまり、調湿体６を通過することで加熱された高温の供給用空気ＳＡの一部を、顕熱交換体９を通過させる前に、排気風路４における顕熱交換体９と除湿用の加熱器２４との間の箇所に導いて排出用空気ＥＡに混合させるので、除湿運転モードでは、調湿体６を通過する前の排出用空気ＥＡの大風量化及び低湿度化により、調湿体６から排出用空気ＥＡへの放湿量がより多くなって、供給用空気ＳＡを除湿する除湿性能を向上させることが可能となり、又、全熱・顕熱交換運転モードでは、エンタルピー交換効率をより増大することが可能となる。
【０１４６】
次に、上述のように構成した空調装置の使用形態について説明する。
図２３に示すように、この第１３実施形態では、上記の第１実施形態と同様に、外気ＯＡを導入する外気導入ダクト（図示省略）を前記供給用空気入口１ｓｉに接続し、各空調対象室から室内空気ＲＡを排出する室内空気排出ダクト（図示省略）を前記排出用空気入口１ｅｉに接続して、給気送風機３により、外気ＯＡを供給用空気ＳＡとして給気風路２を通して通流させて各空調対象室に供給すると共に、排気送風機５により、給気風路２を供給用空気ＳＡとして通流する外気ＯＡの一部を調湿体６を通過した後、顕熱交換体９を通過する前に排気風路４における顕熱交換体９と除湿用の加熱器２４との間の箇所に導入しつつ、各空調対象室からの室内空気ＲＡを排出用空気ＥＡとして排気風路４を通流させて屋外に排出するように構成して、第１種換気を行うように構成してある。
【０１４７】
つまり、この第１３実施形態の空調装置は、外気ＯＡを供給用空気ＳＡとして、空調対象室内の室内空気ＲＡを排出用空気ＥＡとして用いて、供給用空気ＳＡとする外気ＯＡと排出用空気ＥＡとする室内空気ＲＡとを前記調湿部Ｌや顕熱交換部Ｓにて熱交換させて、供給用空気ＳＡとする外気ＯＡを空調して、その空調した外気ＯＡを供給用空気ＳＡとして空調対象室に供給するように構成してある。
【０１４８】
以下、本発明の第１４ないし第１６の各実施形態を説明するが、これらの実施形態は、空調装置の使用形態を上記の第１３実施形態と異ならせた実施形態であって、空調装置の構成は第１３実施形態と同様であるので、空調装置の構成についての説明は省略する。
【０１４９】
〔第１４実施形態〕
図２４に示すように、この第１４実施形態では、上記の第２実施形態と同様に、外気ＯＡを導入する外気導入ダクト（図示省略）を前記供給用空気入口１ｓｉ及び前記排出用空気入口１ｅｉの夫々に接続して、給気送風機３により、外気ＯＡを供給用空気ＳＡとして給気風路２を通して通流させて各空調対象室に供給すると共に、排気送風機５により、給気風路２を供給用空気ＳＡとして通流する外気ＯＡの一部を調湿体６を通過した後、顕熱交換体９を通過する前に排気風路４における顕熱交換体９と除湿用の加熱器２４との間の箇所に導入しつつ、外気ＯＡを排出用空気ＥＡとして排気風路４を通して通流させて屋外に排出するように構成して、第２種換気を行うように構成してある。
【０１５０】
つまり、この第１４実施形態の空調装置は、外気ＯＡを供給用空気ＳＡ及び排出用空気ＥＡの夫々として用いて、外気ＯＡ同士を前記調湿部Ｌや顕熱交換部Ｓにて熱交換させて、供給用空気ＳＡとする外気ＯＡを空調して、その空調した外気ＯＡを供給用空気ＳＡとして空調対象室に供給するように構成してある。
【０１５１】
〔第１５実施形態〕
図２５に示すように、第１５実施形態では、上記の第３実施形態と同様に、各空調対象室から室内空気ＲＡを排出する室内空気排出ダクト（図示省略）を前記供給用空気入口１ｓｉ及び前記排出用空気入口１ｅｉの夫々に接続して、給気送風機３により、各空調対象室からの室内空気ＲＡを供給用空気ＳＡとして給気風路２を通して通流させて各空調対象室に供給すると共に、排気送風機５により、給気風路２を供給用空気ＳＡとして通流する室内空気ＲＡの一部を調湿体６を通過した後、顕熱交換体９を通過する前に排気風路４における顕熱交換体９と除湿用の加熱器２４との間の箇所に導入しつつ、各空調対象室からの室内空気ＲＡを排出用空気ＥＡとして排気風路４を通して通流させて屋外に排出するように構成して、第３種換気を行うように構成してある。
【０１５２】
つまり、この第１５実施形態の空調装置は、室内空気ＲＡを供給用空気ＳＡ及び排出用空気ＥＡの夫々として用いて、室内空気ＲＡ同士を前記調湿部Ｌや顕熱交換部Ｓにて熱交換させて、供給用空気ＳＡとする室内空気ＲＡを空調して、その空調した室内空気ＲＡを供給用空気ＳＡとして空調対象室に供給するように構成してある。
【０１５３】
〔第１６実施形態〕
図２６に示すように、この第１６実施形態では、上記の第４実施形態と同様に、各空調対象室から室内空気ＲＡを排出する室内空気排出ダクト（図示省略）を前記供給用空気入口１ｓｉに接続し、外気ＯＡを導入する外気導入ダクト（図示省略）を前記排出用空気入口１ｅｉに接続して、給気送風機３により、各空調対象室からの室内空気ＲＡを供給用空気ＳＡとして給気風路２を通して通流させて各空調対象室に供給すると共に、排気送風機５により、給気風路２を供給用空気ＳＡとして通流する室内空気ＲＡの一部を調湿体６を通過した後、顕熱交換体９を通過する前に排気風路４における顕熱交換体９と除湿用の加熱器２４との間の箇所に導入しつつ、外気ＯＡを排出用空気ＥＡとして排気風路４を通して通流させて屋外に排出するように構成してある。
つまり、排気送風機５により、給気風路２を通流する室内空気ＲＡの一部を、空調対象室外に強制的に排出するように構成して、第３種換気を行わせるように構成してある。
【０１５４】
又、この第１６実施形態の空調装置は、空調対象室内の室内空気ＲＡを供給用空気ＳＡとして、外気ＯＡを排出用空気ＥＡとして用いて、供給用空気ＳＡとする室内空気ＲＡと排出用空気ＥＡとする外気ＯＡとを前記調湿部Ｌや顕熱交換部Ｓにて熱交換させて、供給用空気ＳＡとする室内空気ＲＡを空調して、その空調した室内空気ＲＡを供給用空気ＳＡとして空調対象室に供給するように構成してある。
【０１５５】
〔第１７実施形態〕
この第１７実施形態の空調装置は、除湿加湿兼用型であり、図２７ないし図２９に示すように、上記第１実施形態と同様に、給気風路２に通風作用する給気送風機３、排気風路４に通風作用する排気送風機５、調湿部Ｌ、加湿暖房用の加熱器８、顕熱交換部Ｓ、運転制御部１１及び操作部１２を備え、更に、上記第９実施形態と同様の除湿用の加熱器２４を備え、更に、前記供給用空気入口１ｓｉから前記給気風路２に吸い込まれた供給用空気ＳＡを、前記顕熱交換体９、前記加湿暖房用の加熱器８、前記調湿体６を順次通過させた後に、前記供給用空気出口１ｓｏから送出させるように通流させると共に、前記排出用空気入口１ｅｉから前記排気風路４に吸い込まれた排出用空気ＥＡを、前記調湿体６、前記除湿用の加熱器２４、前記顕熱交換体９を順次通過させた後に、前記排出用空気出口１ｅｏから送出させるように通流させる加湿暖房用通風経路と、前記供給用空気入口１ｓｉから前記給気風路２に吸い込まれた供給用空気ＳＡを、前記調湿体６、前記加湿暖房用の加熱器８、前記顕熱交換体９を順次通過させた後に、前記供給用空気出口１ｓｏから送出させるように通流させると共に、前記排出用空気入口１ｅｉから前記排気風路４に吸い込まれた排出用空気ＥＡを、前記顕熱交換体９、前記除湿用の加熱器２４、前記調湿体６を順次通過させた後に、前記排出用空気出口１ｅｏから送出させるように通流させる除湿用通風経路とに供給用空気及び排出用空気の通風経路を切り換える通風経路切換手段としての給気上手側風向切換板３５及び給気下手側風向切換板３６を備えて構成してある。
以下、第１実施形態と同じ構成要素や同じ作用を有する構成要素については、同じ符号を付すことにより説明を省略し、主として、第１実施形態と異なる構成を説明する。
【０１５６】
図２７に示すように、この第１７実施形態では、上記の第１実施形態と同様に、ケーシング１を、直方体形状に形成し、その一側面に供給用空気出口１ｓｏ及び排出用空気入口１ｅｉを並設し、それら供給用空気出口１ｓｏ及び排出用空気入口１ｅｉを設けた側面に対向する側面に、供給用空気入口１ｓｉ及び排出用空気出口１ｅｏを供給用空気入口１ｓｉが前記供給用空気出口１ｓｏと同じ側に位置する状態で並設してある。
そして、前記ケーシング１内を、仕切り壁３１にて、前記供給用空気入口１ｓｉ及び前記供給用空気出口１ｓｏが位置する側と、前記排出用空気入口１ｅｉ及び前記排出用空気出口１ｅｏが位置する側とに区画して、前記ケーシング１内に、一端が前記供給用空気入口１ｓｉに連通し且つ他端が前記供給用空気出口１ｓｏに連通する状態の前記給気風路２と、一端が前記排出用空気入口１ｅｉに連通し且つ他端が前記排出用空気出口１ｅｏに連通する状態の前記排気風路４を区画形成してある。
【０１５７】
この第１７実施形態では、前記ケーシング１を、前記供給用空気出口１ｓｏ及び前記排出用空気入口１ｅｉを設けた側面と前記供給用空気入口１ｓｉ及び前記排出用空気出口１ｅｏを設けた側面とが水平方向に並び、且つ、前記給気風路２と前記排気風路４とが水平方向に並ぶ姿勢にて配置する。
【０１５８】
図２８にも示すように、前記顕熱交換体９を、その回転軸心を鉛直方向に沿わす状態で、前記給気風路２と前記排気風路４に跨るように前記ケーシング１内に回転駆動自在に配置し、前記給気風路２における顕熱交換体９の上方に、間隔を開けて、前記加湿暖房用の加熱器８を配置し、前記排気風路４における顕熱交換体９の上方に、間隔を開けて、前記除湿用の加熱器２４を配置し、更に、それら加湿暖房用の加熱器８及び除湿用の加熱器２４の上方に、間隔を開けて、前記調湿体６をその回転軸心を鉛直方向に沿わす状態で、前記給気風路２と前記排気風路４に跨るように前記ケーシング１内に回転駆動自在に配置してある。
【０１５９】
調湿体６を、その周方向の複数箇所（この実施形態では３箇所）に分散配置した載置支持ロータ３２にて載置支持すると共に、その調湿体６の外周を、その周方向の複数箇所（この実施形態では３箇所）に分散配置した案内ロータ３３にて案内することにより、調湿体６を水平面にて駆動回転自在に配置してある。
前記顕熱交換体９も、前記調湿体６と同様に、周方向の複数箇所に分散配置した載置支持ロータ３２、及び、周方向の複数箇所に分散配置した案内ロータ３３にて、水平面にて駆動回転自在に配置してある。
【０１６０】
そして、上記の第１実施形態と同様に、調湿用電動モータ７の出力軸と前記調湿体６の外周部とにわたってベルト１４を巻回して、その調湿用電動モータ７にて調湿体６を駆動回転し、顕熱交換用電動モータ１０の出力軸と前記顕熱交換体９の外周部とにわたってベルト１４を巻回して、その顕熱交換用電動モータ１０にて顕熱交換体９を駆動回転するように構成してある。
【０１６１】
そして、調湿用電動モータ７の回転速度を変更調節することにより、前記調湿体６の駆動回転速度を変更調節自在なように構成してある。
又、顕熱交換用電動モータ１０を作動させることにより、前記顕熱交換部Ｓを顕熱交換作動状態にし、顕熱交換用電動モータ１０を停止させることにより、前記顕熱交換部Ｓを顕熱交換停止状態にするように構成してある。
【０１６２】
図２７に示すように、第１実施形態と同様に、加湿暖房用の加熱器８と熱源機とを熱媒循環路１７にて接続すると共に、その熱媒循環路１７に加湿暖房用熱動弁１８を設けて、その加湿暖房用熱動弁１８の開閉により、前記加湿暖房用の加熱器８を加熱作用状態と加熱停止状態とに切り換えるように構成し、上記の第９実施形態と同様に、除湿用の加熱器２４と前記熱源機とを熱媒循環路２５接続すると共に、その熱媒循環路２５に除湿用熱動弁２６を設けて、その除湿用熱動弁２６の開閉により、前記除湿用の加熱器２４を加熱作用状態と加熱停止状態とに切り換えるように構成してある。
【０１６３】
前記給気送風機３を、その吸い込み口を前記給気風路２内に臨ませ且つ吐き出し口を前記供給用空気出口１ｓｏに内嵌させた状態で前記給気風路２内に設けることにより、前記給気送風機３を、前記供給用空気入口１ｓｉから吸い込んだ供給用空気ＳＡを前記給気風路２を通風させて前記供給用空気出口１ｓｏから送出するように、前記給気風路２に通風作用させる構成としてある。
又、前記排気送風機５を、その吸い込み口を前記排気風路４内に臨ませ且つ吐き出し口を前記排出用空気出口１ｅｏに内嵌させた状態で前記排気風路４内に設けることにより、排気送風機５を、前記排出用空気入口１ｅｉから吸い込んだ排出用空気ＥＡを前記排気風路４を通風させて前記排出用空気出口１ｅｏから送出するように、前記排気風路４に通風作用させる構成としてある。
【０１６４】
図２７ないし図２９に示すように、前記ケーシング１内において前記調湿体６及び前記顕熱交換体９の前記供給用空気入口１ｓｉ及び前記排出用空気出口１ｅｏ側の横側部に対応する部分に、前記調湿体６よりも上方側を開き且つ調湿体６よりも下方側を閉じる除湿通風状態と、前記顕熱交換体９よりも下方側を開き且つ顕熱交換体９よりも上方側を閉じる加湿暖房通風状態とに切り換えるべく、図示しないシリンダ等のアクチュエータにて上下移動操作自在に、前記給気上手側風向切換板３５を設けてある。
【０１６５】
又、前記ケーシング１内において前記調湿体６及び前記顕熱交換体９の前記供給用空気出口１ｓｏ及び前記排出用空気入口１ｅｉ側の横側部に対応する部分に、前記顕熱交換体９よりも下方側を開き且つ顕熱交換体９よりも上方側を閉じる除湿通風状態と、前記調湿体６よりも上方側を開き且つ調湿体６よりも下方側を閉じる加湿暖房通風状態とに切り換えるべく、図示しないシリンダ等のアクチュエータにて上下移動操作自在に、給気下手側風向切換板３６を設けてある。
【０１６６】
そして、図２８に示すように、前記給気上手側風向切換板３５及び前記給気下手側風向切換板３６夫々を前記加湿暖房通風状態に切り換えると、前記供給用空気入口１ｓｉから前記給気風路２に吸い込まれた供給用空気ＳＡを、前記顕熱交換体９、前記加湿暖房用の加熱器８、前記調湿体６を順次通過させた後に、前記供給用空気出口１ｓｏから送出させるように通流させると共に、前記排出用空気入口１ｅｉから前記排気風路４に吸い込まれた排出用空気ＥＡを、前記調湿体６、前記除湿用の加熱器２４、前記顕熱交換体９を順次通過させた後に、前記排出用空気出口１ｅｏから送出させるように通流させる加湿暖房用通風経路に、供給用空気及び排出用空気の通風経路を切り換えることができる。
【０１６７】
又、図２９に示すように、前記給気上手側風向切換板３５及び前記給気下手側風向切換板３６夫々を前記除湿通風状態に切り換えると、前記供給用空気入口１ｓｉから前記給気風路２に吸い込まれた供給用空気ＳＡを、前記調湿体６、前記加湿暖房用の加熱器８、前記顕熱交換体９を順次通過させた後に、前記供給用空気出口１ｓｏから送出させるように通流させると共に、前記排出用空気入口１ｅｉから前記排気風路４に吸い込まれた排出用空気ＥＡを、前記顕熱交換体９、前記除湿用の加熱器２４、前記調湿体６を順次通過させた後に、前記排出用空気出口１ｅｏから送出させるように通流させる除湿用通風経路に、供給用空気及び排出用空気の通風経路を切り換えることができる。
つまり、加湿暖房用通風経路及び除湿用通風経路のいずれにおいても、給気風路２の通風方向と排気風路４の通風方向が互いに逆向きになる。
【０１６８】
つまり、この除湿加湿兼用型の空調装置では、前記給気上手側風向切換板３５及び前記給気下手側風向切換板３６夫々を前記加湿暖房通風状態に切り換えて、供給用空気及び排出用空気の通風経路を加湿暖房用通風経路にすることにより、加湿暖房用の加熱器８が前記給気風路２における前記調湿体６よりも通風方向上手側箇所に設けられ、且つ、前記顕熱交換体９がその一部を前記給気風路２における前記加湿暖房用の加熱器８よりも通風方向上手側箇所に位置させ且つ他の一部を前記排気風路４における前記調湿体６よりも通風方向下手側箇所に位置させるように配置されて、供給用空気ＳＡを加湿暖房用の加熱器８にて加熱した後に、調湿部Ｌにて加湿するように構成されることになる。
【０１６９】
又、前記給気上手側風向切換板３５及び前記給気下手側風向切換板３６夫々を前記除湿通風状態に切り換えて、供給用空気及び排出用空気の通風経路を除湿用通風経路にすることにより、除湿用の加熱器２４が前記排気風路４における前記調湿体６よりも通風方向上手側箇所に設けられ、且つ、前記顕熱交換体９がその一部を前記給気風路２における前記調湿体６よりも通風方向下手側箇所に位置させ且つ他の一部を前記排気風路４における前記除湿用の加熱器２４よりも通風方向上手側箇所に位置させるように配置されて、供給用空気ＳＡを前記調湿部Ｌにて除湿した後に、前記顕熱交換部Ｓにて冷却するように構成されることになる。
【０１７０】
この第１７実施形態では、前記運転制御部１１を、運転モードとして、第１実施形態と同様の加湿運転モード、全熱・顕熱交換運転モード、顕熱交換運転モード、通常換気運転モード及び暖房運転モードに加えて、第９実施形態と同様の除湿運転モードを備えるように構成してある。
【０１７１】
次に、前記運転制御部１１の制御動作について、説明する。
運転制御部１１は、前記操作部１２からの指令情報に基づいて、運転モード選択スイッチにて指令された運転モードを実行し、又、自動運転スイッチにてモード自動選択運転が指令されると、そのモード自動選択運転を実行するように構成してある。
【０１７２】
以下、図３０に基づいて、上記の各運転モード夫々についての前記運転制御部１１の制御動作を説明する。
前記通常換気運転モードでは、前記給気送風機３及び前記排気送風機５夫々を作動させ、前記調湿用電動モータ７を停止させて前記調湿体６の回転を停止させ、前記加湿暖房用熱動弁１６及び前記除湿用熱動弁２６を閉弁して前記加湿暖房用の加熱器８及び前記除湿用の加熱器２４を加熱停止状態にし、前記顕熱交換用電動モータ１０を停止させて前記顕熱交換部Ｓを顕熱交換停止状態にし、前記給気上手側風向切換板３５及び前記給気下手側風向切換板３６夫々を前記加湿暖房通風状態に切り換える。
【０１７３】
前記加湿運転モードでは、前記給気送風機３及び前記排気送風機５夫々を作動させ、前記調湿体６を前記調湿用設定速度にて回転駆動するように前記調湿用電動モータ７を作動させ、前記加湿暖房用熱動弁１６を開弁して前記加湿暖房用の加熱器８を加熱作用状態にし、前記除湿用熱動弁２６を閉弁して前記除湿用の加熱器２４を加熱停止状態にし、前記顕熱交換用電動モータ１０を作動させて前記顕熱交換部Ｓを顕熱交換作動状態にし、前記給気上手側風向切換板３５及び前記給気下手側風向切換板３６夫々を前記加湿暖房通風状態に切り換える。
この第１７実施形態の加湿運転モードにおいても、この空調装置は上記の第１実施形態と同様に作用して、空調対象室に供給される供給用空気ＳＡを無給水にて加湿すると共に加熱して空調対象室に供給することが可能となり、各空調対象室を加湿並びに暖房することができる。
【０１７４】
前記全熱・顕熱交換運転モードでは、前記給気送風機３及び前記排気送風機５夫々を作動させ、前記調湿体６を前記調湿用設定速度よりも高速の全熱交換用設定速度にて回転駆動するように前記調湿用電動モータ７を作動させ、前記加湿暖房用熱動弁１６及び前記除湿用熱動弁２６を閉弁して前記加湿暖房用の加熱器８及び前記除湿用の加熱器２４を加熱停止状態にし、前記顕熱交換用電動モータ１０を作動させて前記顕熱交換部Ｓを顕熱交換作動状態にし、前記給気上手側風向切換板３５及び前記給気下手側風向切換板３６夫々を前記加湿暖房通風状態に切り換える。
この第１７実施形態の全熱・顕熱交換運転モードにおいても、第１実施形態と同様に作用して、エンタルピー交換効率を増大することができる。
【０１７５】
前記暖房運転モードでは、前記給気送風機３及び前記排気送風機５夫々を作動させ、前記調湿体６を停止させ、前記加湿暖房用熱動弁１６を開弁して前記加湿暖房用の加熱器８を加熱作用状態にし、前記除湿用熱動弁２６を閉弁して前記除湿用の加熱器２４を加熱停止状態にし、前記顕熱交換用電動モータ１０を作動させて前記顕熱交換部Ｓを顕熱交換作動状態にし、前記給気上手側風向切換板３５及び前記給気下手側風向切換板３６夫々を前記加湿暖房通風状態に切り換える。
この第１７実施形態の暖房運転モードにおいても、第１実施形態と同様に作用して、供給用空気ＳＡを加湿暖房用の加熱器８にて加熱して、空調対象室に供給することができるので、空調対象室を暖房することができる。
【０１７６】
前記除湿運転モードでは、前記給気送風機３及び前記排気送風機５夫々を作動させ、前記調湿体６を前記調湿用設定速度にて回転駆動するように前記調湿用電動モータ７を作動させ、前記加湿暖房用熱動弁１６を閉弁して前記加湿暖房用の加熱器８を加熱停止状態にし、前記除湿用熱動弁２６を開弁して前記除湿用の加熱器２４を加熱作用状態にし、前記顕熱交換用電動モータ１０を作動させて前記顕熱交換部Ｓを顕熱交換作動状態にし、前記給気上手側風向切換板３５及び前記給気下手側風向切換板３６夫々を前記除湿通風状態に切り換える。
この第１７実施形態の除湿運転モードにおいても、第９実施形態と同様に作用して、供給用空気ＳＡが除湿並びに冷却されて空調対象室に供給されるので、空調対象室を除湿することができる。
【０１７７】
前記顕熱交換運転モードでは、前記給気送風機３及び前記排気送風機５夫々を作動させ、前記調湿用電動モータ７を停止させて前記調湿体６の回転を停止させ、前記加湿暖房用熱動弁１６及び前記除湿用熱動弁２６を閉弁して前記加湿暖房用の加熱器８及び前記除湿用の加熱器２４を加熱停止状態にし、前記顕熱交換用電動モータ１０を作動させて前記顕熱交換部Ｓを顕熱交換作動状態にし、前記給気上手側風向切換板３５及び前記給気下手側風向切換板３６夫々を前記加湿暖房通風状態に切り換える。
【０１７８】
次に、前記モード自動選択運転における前記運転制御部１１の制御動作を説明する。
このモード自動選択運転では、上記の第１実施形態と同様に、前記運転制御部１１は、前記外気湿度センサ１９、前記外気温度センサ２０、前記室内湿度センサ２１及び前記室内温度センサ２２夫々の検出情報に基づいて、室内空気の状況及び外気の状況を求め、求めた室内空気の状況及び外気の状況に応じた運転モードを複数の運転モードから択一的に選択して実行するように構成してある。
【０１７９】
説明を加えると、運転制御部１１には、予め、第１実施形態と同様の室内空気状況導出情報、外気状況導出情報、多湿時切換用設定湿度、適湿時切換用設定湿度及び切換用設定温度を記憶させてある。
【０１８０】
そして、第１実施形態と同様に、運転制御部１１を、内蔵のカレンダー機能により夏期、冬期及び中間期の夫々の季節を判別すると共に、外気湿度センサ１９及び外気温度センサ２０夫々の検出情報並びに外気状況導出情報に基づいて、夏期、冬期及び中間期の夫々に対応して外気の状況を求め、室内湿度センサ２１及び室内温度センサ２２夫々の検出情報並びに室内空気状況導出情報に基づいて、室内空気の状況を求めて、判別した季節、並びに、求めた室内空気の状況及び外気の状況に基づいて、図３１に示す選択条件にて運転モードを選択して実行するように構成してある。
【０１８１】
つまり、夏期で、外気が高温多湿状態であると判別した場合は、室内空気が多湿状態であると判別すると、除湿運転モードを実行し、室内空気が適温適湿状態であると判別すると、前記室内湿度センサ２１の検出湿度が前記適湿時切換用設定湿度よりも高いときは除湿運転モードを、前記適湿時切換用設定湿度以下のときは全熱・顕熱交換運転モードを夫々実行する。
夏期で、外気が高温適湿状態であると判別した場合は、室内空気が多湿状態であると判別すると、前記室内湿度センサ２１の検出湿度が前記多湿時切換用設定湿度よりも高いときは除湿運転モードを、前記多湿時切換用設定湿度以下のときは顕熱交換運転モードを夫々実行し、室内空気が適温適湿状態であると判別すると、前記室内湿度センサ２１の検出湿度が前記適湿時切換用設定湿度よりも高いときは全熱・顕熱交換運転モードを、前記適湿時切換用設定湿度以下のときは顕熱交換運転モードを夫々実行する。
夏期で、外気が適温適湿状態であると判別した場合は、室内空気が多湿状態であると判別したとき及び適温適湿状態であると判別したときのいずれも、通常換気運転モードを実行する。
【０１８２】
又、中間期で、外気が中温多湿状態であると判別した場合は、室内空気が多湿状態であると判別すると、除湿運転モードを実行し、室内空気が適温適湿状態であると判別すると、前記室内湿度センサ２１の検出湿度が前記適湿時切換用設定湿度よりも高いときは除湿運転モードを、前記適湿時切換用設定湿度以下のときは全熱・顕熱交換運転モードを夫々実行する。
中間期で、外気が高温適湿状態であると判別した場合は、室内空気が多湿状態であると判別すると、前記室内湿度センサ２１の検出湿度が前記多湿時切換用設定湿度よりも高いときは除湿運転モードを、前記多湿時切換用設定湿度以下のときは顕熱交換運転モードを夫々実行し、室内空気が適温適湿状態であると判別すると、顕熱交換運転モードを実行する。
中間期で、外気が適温適湿状態であると判別した場合は、室内空気が多湿状態であると判別したとき及び適温適湿状態であると判別したときのいずれも、通常換気運転モードを実行する。
【０１８３】
又、冬期で、外気が中温低湿状態であると判別した場合は、室内空気が適温適湿状態であると判別すると、全熱・顕熱交換運転モードを実行し、室内空気が低湿状態であると判別すると、加湿運転モードを実行する。
又、冬期で、外気が低温低湿状態であると判別した場合は、室内空気が適温適湿状態であると判別すると、前記室内温度センサ２２の検出温度が前記切換用設定温度よりも低いときは暖房運転モードを、前記室内温度センサ２２の検出温度が前記切換用設定温度以上で且つ前記室内湿度センサ２１の検出湿度が設定湿度以下のときは加湿運転モードを、前記室内温度センサ２２の検出温度が前記切換用設定温度以上で且つ前記室内湿度センサ２１の検出湿度が設定湿度よりも高いときは全熱・顕熱交換運転モードを夫々実行し、室内空気が低湿状態であると判別すると、加湿運転モードを実行する。
又、冬期で、外気が低温適湿状態であると判別した場合は、室内空気が適温適湿状態であると判別すると、前記室内温度センサ２２の検出温度が前記切換用設定温度よりも低いときは暖房運転モードを、前記室内温度センサ２２の検出温度が前記切換用設定温度以上のとき全熱・顕熱交換運転モードを夫々実行し、室内空気が低湿状態であると判別すると、前記室内温度センサ２２の検出温度が前記切換用設定温度よりも低いときは暖房運転モードを、前記室内温度センサ２２の検出温度が前記切換用設定温度以上のとき加湿運転モードを夫々実行する。
【０１８４】
次に、上述のように構成した空調装置の使用形態について説明する。
図２８及び図２９に示すように、この第１７実施形態では、上記の第１実施形態と同様に、外気ＯＡを導入する外気導入ダクト（図示省略）を前記供給用空気入口１ｓｉに接続し、各空調対象室から室内空気ＲＡを排出する室内空気排出ダクト（図示省略）を前記排出用空気入口１ｅｉに接続して、第１種換気を行うように構成してある。
【０１８５】
つまり、この第１７実施形態の空調装置は、外気ＯＡを供給用空気ＳＡとして、空調対象室内の室内空気ＲＡを排出用空気ＥＡとして用いて、供給用空気ＳＡとする外気ＯＡと排出用空気ＥＡとする室内空気ＲＡとを前記調湿部Ｌや顕熱交換部Ｓにて熱交換させて、供給用空気ＳＡとする外気ＯＡを空調して、その空調した外気ＯＡを供給用空気ＳＡとして空調対象室に供給するように構成してある。
【０１８６】
〔第１８実施形態〕
以下、第１８実施形態を説明するが、この第１８実施形態では、図３２ないし図３４に示すように、前記調湿体６を通過し且つ前記顕熱交換体９を通過する前の排出用空気ＥＡの一部を、前記給気風路２における前記顕熱交換体９と前記加湿暖房用の加熱器８との間の箇所に導き、前記調湿体６を通過し且つ前記顕熱交換体９を通過する前の供給用空気ＳＡの一部を、前記排気風路４における前記顕熱交換体９と前記除湿用の加熱器２４との間の箇所に導く兼用連通口３７を設けた以外は、上記の第１７実施形態と同様に構成してあるので、第１７実施形態と同じ構成要素や同じ作用を有する構成要素については、同じ符号を付すことにより説明を省略し、主として、第１７実施形態と異なる構成を説明する。
つまり、前記兼用連通口３７を前記供給用連通口２３と前記排出用連通口２７とを兼用させるように構成してある。
【０１８７】
即ち、前記仕切り壁３１において、顕熱交換体９と加湿暖房用の加熱器８との間に相当する部分（顕熱交換体９と除湿用の加熱器２４との間に相当する部分でもある）に、前記兼用連通口３７を設けてある。
そして、前記給気上手側風向切換板３５及び前記給気下手側風向切換板３６夫々を前記加湿暖房通風状態に切り換えて、供給用空気及び排出用空気の通風経路を加湿暖房用通風経路にするときは、前記給気送風機３及び前記排気送風機５夫々を通風量が前記給気送風機３の方が多くなるように作動させることにより、調湿体６を通過し且つ前記顕熱交換体９を通過する前の排出用空気ＥＡの一部を、前記兼用連通口３７を通して、前記給気風路２における前記顕熱交換体９と前記加湿暖房用の加熱器８との間の箇所に導くように構成してある。
【０１８８】
又、前記給気上手側風向切換板３５及び前記給気下手側風向切換板３６夫々を前記除湿通風状態に切り換えて、供給用空気及び排出用空気の通風経路を除湿用通風経路にするときは、前記給気送風機３及び前記排気送風機５夫々を通風量が前記排気送風機５の方が多くなるように作動させることにより、調湿体６を通過し且つ前記顕熱交換体９を通過する前の供給用空気ＳＡの一部を、前記兼用連通口３７を通して、前記排気風路４における前記顕熱交換体９と前記除湿用の加熱器２４との間の箇所に導くように構成してある。
【０１８９】
次に、上述のように構成した空調装置の使用形態について説明する。
図３３及び図３４に示すように、この第１８実施形態では、上記の第１実施形態と同様に、外気ＯＡを導入する外気導入ダクト（図示省略）を前記供給用空気入口１ｓｉに接続し、各空調対象室から室内空気ＲＡを排出する室内空気排出ダクト（図示省略）を前記排出用空気入口１ｅｉに接続して、第１種換気を行うように構成してある。
【０１９０】
つまり、この第１８実施形態の空調装置は、外気ＯＡを供給用空気ＳＡとして、空調対象室内の室内空気ＲＡを排出用空気ＥＡとして用いて、供給用空気ＳＡとする外気ＯＡと排出用空気ＥＡとする室内空気ＲＡとを前記調湿部Ｌや顕熱交換部Ｓにて熱交換させて、供給用空気ＳＡとする外気ＯＡを空調して、その空調した外気ＯＡを供給用空気ＳＡとして空調対象室に供給するように構成してある。
【０１９１】
〔別実施形態〕
次に別実施形態を説明する。
（イ）  上記の各実施形態においては、運転制御部１１を、室内湿度センサ２１、外気湿度センサ１９、室内温度センサ２２及び外気温度センサ２０夫々の検出情報に基づいて、運転モードを選択して実行するように構成する場合について例示したが、室内湿度センサ２１及び外気湿度センサ１９の検出情報に基づいて、運転モードを選択して実行するように構成しても良い。
この別実施形態は、例えば、上記の第１、第２、第５、第６、第９、第１０、第１３、第１４、第１７及び第１８の各実施形態のように、外気ＯＡを供給用空気ＳＡとして、空調対象室に供給する場合に実施するのが好ましい。
【０１９２】
例えば、室内湿度センサ２１及び外気湿度センサ１９の検出情報に基づいて、加湿運転モードを実行しなくても、全熱・顕熱交換運転モード、顕熱交換運転モード又は通常換気運転モードを実行することにより空調対象室の加湿が可能であると判別したときは、全熱・顕熱交換運転モード、顕熱交換運転モード又は通常換気運転モードを実行し、可能でないときは加湿運転モードを実行する。
又、室内湿度センサ２１及び外気湿度センサ１９の検出情報に基づいて、除湿運転モードを実行しなくても、全熱・顕熱交換運転モード、顕熱交換運転モード又は通常換気運転モードを実行することにより空調対象室の除湿が可能であると判別したときは、全熱・顕熱交換運転モード、顕熱交換運転モード又は通常換気運転モードを実行し、可能でないときは除湿運転モードを実行する。
そして、全熱・顕熱交換運転モード、顕熱交換運転モード及び通常換気運転モード夫々は、加湿暖房用の加熱器８や除湿用の加熱器２４を加熱作用させないことから、加湿運転モードや除湿運転モードに比べて、消費エネルギ量が少ないので、上述の如き別実施形態を実施することにより、省エネルギ化を図ることが可能となる。
【０１９３】
（ロ）  上記の第１７及び第１８の各実施形態の空調装置夫々の使用形態は、外気ＯＡを供給用空気ＳＡとして、空調対象室内の室内空気ＲＡを排出用空気ＥＡとして用いて使用する場合に限定されるものではない。
即ち、外気ＯＡを供給用空気ＳＡ及び排出用空気ＥＡとして用いる使用形態、空調対象室の室内空気ＲＡを供給用空気ＳＡ及び排出用空気ＥＡとして用いる使用形態、空調対象室の室内空気ＲＡを供給用空気ＳＡとし、外気ＯＡを排出用空気ＥＡとして用いる使用形態が可能である。
【０１９４】
（ハ）  上記の第１７及び第１８の各実施形態においては、給気上手側風向切換板３５及び給気下手側風向切換板３６夫々を加湿暖房通風状態に切り換えて、供給用空気及び排出用空気の通風経路を加湿暖房用通風経路にした状態で、全熱・顕熱交換運転モードを実行する場合について例示したが、給気上手側風向切換板３５及び給気下手側風向切換板３６夫々を除湿通風状態に切り換えて、供給用空気及び排出用空気の通風経路を除湿用通風経路にした状態で、全熱・顕熱交換運転モードを実行するように構成しても良い。
【０１９５】
（ニ）  上記の各実施形態において、運転制御部１１を、快適性指数（ＰＭＶ）を求めて、求めた快適性指数がゼロになるように、運転モードを択一的に選択して実行するように構成しても良い。ちなみに、快適性指数は、温度、輻射温度、気流速度、着衣状態及び活動状態により周知の演算式に基づいて求められるものである。
【０１９６】
（ホ）  上記の各実施形態において、運転モードとして、調湿運転モード及び全熱・顕熱交換運転モードのみを備える場合は、前記顕熱交換部Ｓとしては、顕熱交換用電動モータ１０を備えない静止型の顕熱交換部Ｓを設けることが可能である。
【０１９７】
（ヘ）  上記の第９〜第１８の各実施形態において、運転モードとして、前記調湿体６を調湿用設定速度で回転駆動し、前記除湿用の加熱器２４を加熱作用状態にし及び前記顕熱交換部Ｓを前記顕熱交換停止状態にする乾燥運転モードを備えるように構成しても良い。
【０１９８】
（ト）  加熱手段の具体構成としては、上記の各実施形態において例示した熱媒循環式に限定されるものではなく、例えば、電気ヒータを用いることができる。
【図面の簡単な説明】
【０１９９】
【図１】第１実施形態に係る空調装置の全体概略構成を示す一部切り欠き斜視図
【図２】第１実施形態に係る空調装置の縦断面図
【図３】調湿部及び顕熱交換部の一部切り欠き斜視図
【図４】第１実施形態に係る空調装置の制御動作を説明する図
【図５】第１実施形態に係る空調装置の制御動作を説明する図
【図６】第１実施形態に係る空調装置の概略ブロック図
【図７】第２実施形態に係る空調装置の概略ブロック図
【図８】第３実施形態に係る空調装置の概略ブロック図
【図９】第４実施形態に係る空調装置の概略ブロック図
【図１０】第５実施形態に係る空調装置の縦断面図
【図１１】第５実施形態に係る空調装置の概略ブロック図
【図１２】第６実施形態に係る空調装置の概略ブロック図
【図１３】第７実施形態に係る空調装置の概略ブロック図
【図１４】第８実施形態に係る空調装置の概略ブロック図
【図１５】第９実施形態に係る空調装置の縦断面図
【図１６】第９実施形態に係る空調装置の制御動作を説明する図
【図１７】第９実施形態に係る空調装置の制御動作を説明する図
【図１８】第９実施形態に係る空調装置の概略ブロック図
【図１９】第１０実施形態に係る空調装置の概略ブロック図
【図２０】第１１実施形態に係る空調装置の概略ブロック図
【図２１】第１２実施形態に係る空調装置の概略ブロック図
【図２２】第１３実施形態に係る空調装置の縦断面図
【図２３】第１３実施形態に係る空調装置の概略ブロック図
【図２４】第１４実施形態に係る空調装置の概略ブロック図
【図２５】第１５実施形態に係る空調装置の概略ブロック図
【図２６】第１６実施形態に係る空調装置の概略ブロック図
【図２７】第１７実施形態に係る空調装置の全体構成を示す一部切り欠き斜視図
【図２８】第１７実施形態に係る空調装置の概略ブロック図であり、（イ）は横断面図、（ロ）は給気風路を示す縦断面図、（ハ）は排気風路を示す縦断面図
【図２９】第１７実施形態に係る空調装置の概略ブロック図であり、（イ）は横断面図、（ロ）は給気風路を示す縦断面図、（ハ）は排気風路を示す縦断面図
【図３０】第１７実施形態に係る空調装置の制御動作を説明する図
【図３１】第１７実施形態に係る空調装置の制御動作を説明する図
【図３２】第１７実施形態に係る空調装置の全体構成を示す一部切り欠き斜視図
【図３３】第１８実施形態に係る空調装置の概略ブロック図であり、（イ）は横断面図、（ロ）は給気風路を示す縦断面図、（ハ）は排気風路を示す縦断面図
【図３４】第１８実施形態に係る空調装置の概略ブロック図であり、（イ）は横断面図、（ロ）は給気風路を示す縦断面図、（ハ）は排気風路を示す縦断面図
【図３５】調湿体の回転速度と除湿性能及び全熱交換性能の夫々との関係を示す図
【符号の説明】
【０２００】
２    給気風路
３    給気送風手段
４    排気風路
５    排気送風手段
６    調湿体
７    調湿用駆動手段
８    加熱手段
９    顕熱交換体
１０  顕熱交換用駆動手段
１１  運転制御部
１９  外気湿度検出手段
２０  外気温度検出手段
２１  空間内湿度検出手段
２２  空間内温度検出手段
２３  供給用導風部
２４  加熱手段
２７  排出用導風部
３７  供給用導風部、排出用導風部
Ｌ    調湿手段
Ｓ    顕熱交換手段
【図１】
2007024377.tif 000003
【図２】
2007024377.tif 000004
【図３】
2007024377.tif 000005
【図４】
2007024377.tif 000006
【図５】
2007024377.tif 000007
【図６】
2007024377.tif 000008
【図７】
2007024377.tif 000009
【図８】
2007024377.tif 000010
【図９】
2007024377.tif 000011
【図１０】
2007024377.tif 000012
【図１１】
2007024377.tif 000013
【図１２】
2007024377.tif 000014
【図１３】
2007024377.tif 000015
【図１４】
2007024377.tif 000016
【図１５】
2007024377.tif 000017
【図１６】
2007024377.tif 000018
【図１７】
2007024377.tif 000019
【図１８】
2007024377.tif 000020
【図１９】
2007024377.tif 000021
【図２０】
2007024377.tif 000022
【図２１】
2007024377.tif 000023
【図２２】
2007024377.tif 000024
【図２３】
2007024377.tif 000025
【図２４】
2007024377.tif 000026
【図２５】
2007024377.tif 000027
【図２６】
2007024377.tif 000028
【図２７】
2007024377.tif 000029
【図２８】
2007024377.tif 000030
【図２９】
2007024377.tif 000031
【図３０】
2007024377.tif 000032
【図３１】
2007024377.tif 000033
【図３２】
2007024377.tif 000034
【図３３】
2007024377.tif 000035
【図３４】
2007024377.tif 000036
【図３５】
2007024377.tif 000037